(57)【特許請求の範囲】
【請求項１】
電子文書内の１つ以上の引用を処理するためのコンピュータベースの方法であって、
該方法は、
該電子文書の中において書式なし引用を同定することと、
該同定された書式なし引用を構文解析して、１つ以上の引用用語を決定することと、
あり得る合致引用を見出すために、１つ以上の引用ライブラリに問い合わせることであって、各あり得る合致引用は、該１つ以上の引用用語の少なくとも一部分を備える、ことと、
一組のあり得る合致引用を選択するために提示することと、
該一組のあり得る合致引用のうちの選択された１つに基づいて、書式付き引用を該電子文書の中に挿入することと、
該電子文書内のインテキスト引用と、引用目録の中の対応する引用との間にハイパーリンクを提供することであって、該電子文書は、複数のセクションを備え、各セクションは、別個の引用目録を有し、該インテキスト引用は、それが現れるテキストのセクション、および当該セクションと関連付けられる該別個の引用目録に基づいてリンクされる、ことと
を含む、方法。
【請求項２】
電子文書内の１つ以上の引用を処理するためのコンピュータベースの方法であって、
該方法は、
該電子文書の中において書式なし引用を同定することと、
該同定された書式なし引用を構文解析して、１つ以上の引用用語を決定することと、
あり得る合致引用を見出すために、１つ以上の引用ライブラリに問い合わせることであって、各あり得る合致引用は、該１つ以上の引用用語の少なくとも一部分を備える、ことと、
一組のあり得る合致引用を選択するために提示することと、
該一組のあり得る合致引用のうちの選択された１つに基づいて、書式付き引用を該電子文書の中に挿入することと、
一組の引用を組織的なグループに自動的にグループ化することと、
引用が該電子文書の中に挿入または該電子文書から削除される際に、付加的な引用を含むように該組織的なグループを自動的に更新することと
を含む、方法。
【請求項３】
参考文献検証過程を前記電子文書において実行することをさらに含み、該参考文献検証過程は、該電子文書内に含有された文書書式設定構造および埋め込まれたメタデータを認識するように適合され、該参考文献検証過程は、該埋め込まれたメタデータを抽出して、該抽出されたメタデータを一組の少なくとも１つのオーソリティデータベースと比較することにより、該電子文書内に含有された一組の引用の妥当性を決定するようにさらに適合される、請求項２に記載の方法。
【請求項４】
電子文書内の１つ以上の引用を処理するためのコンピュータベースの方法であって、
該方法は、
該電子文書の中において書式なし引用を同定することと、
該同定された書式なし引用を構文解析して、１つ以上の引用用語を決定することと、
あり得る合致引用を見出すために、１つ以上の引用ライブラリに問い合わせることであって、各あり得る合致引用は、該１つ以上の引用用語の少なくとも一部分を備える、ことと、
一組のあり得る合致引用を選択するために提示することと、
該一組のあり得る合致引用のうちの選択された１つに基づいて、書式付き引用を該電子文書の中に挿入することと、
ユーザが書式選好を設定することを可能にすることと、
該選択されたあり得る引用から該書式付き引用を生成するために該書式選好を使用することと
を含む、方法。
【請求項５】
電子文書内の１つ以上の引用を処理するためのコンピュータベースのシステムであって、
該システムは、
電子文書内の書式なし引用を同定するように適合される引用同定コードセットと、
合致引用コードセットであって、該合致引用コードセットは、一組の引用を中に記憶している引用ライブラリにアクセスするように、および該同定された書式なし引用を該引用ライブラリと比較して、該書式なし引用と潜在的に合致する一組の引用を同定するように適合される、合致引用コードセットと、
挿入コードセットであって、該挿入コードセットは、該一組の潜在的に合致する引用のうちの１つの選択を受信することに基づいて、書式付き引用を該電子文書の中に挿入するように適合される、挿入コードセットと、
ハイパーリンクコードセットであって、該ハイパーリンクコードセットは、該電子文書内のインテキスト引用と、引用目録の中の対応する引用との間にハイパーリンクを提供するように適合され、該電子文書は、複数のセクションを備え、各セクションは、別個の引用目録を有し、該インテキスト引用は、それが現れるテキストのセクションおよび当該セクションと関連付けられる該別個の引用目録に基づいてリンクされる、ハイパーリンクコードセットと
を備える、システム。
【請求項６】
電子文書内の１つ以上の引用を処理するためのコンピュータベースのシステムであって、
該システムは、
電子文書内の書式なし引用を同定するように適合される引用同定コードセットと、
合致引用コードセットであって、該合致引用コードセットは、一組の引用を中に記憶している引用ライブラリにアクセスするように、および該同定された書式なし引用を該引用ライブラリと比較して、該書式なし引用と潜在的に合致する一組の引用を同定するように適合される、合致引用コードセットと、
挿入コードセットであって、該挿入コードセットは、該一組の潜在的に合致する引用のうちの１つの選択を受信することに基づいて、書式付き引用を該電子文書の中に挿入するように適合される、挿入コードセットと
コードセットであって、該コードセットは、一組の引用を組織的なグループの中に自動的にグループ化するように適合される、コードセットと
を備える、システム。
【請求項７】
別のコードセットをさらに備え、該別のコードセットは、引用が前記電子文書の中に挿入または該電子文書から削除される際に、前記組織的なグループを自動的に更新して付加的な引用を含むように適合される、請求項６に記載のシステム。
【請求項８】
電子文書内の１つ以上の引用を処理するためのコンピュータベースのシステムであって、
該システムは、
電子文書内の書式なし引用を同定するように適合される引用同定コードセットと、
合致引用コードセットであって、該合致引用コードセットは、一組の引用を中に記憶している引用ライブラリにアクセスするように、および該同定された書式なし引用を該引用ライブラリと比較して、該書式なし引用と潜在的に合致する一組の引用を同定するように適合される、合致引用コードセットと、
挿入コードセットであって、該挿入コードセットは、該一組の潜在的に合致する引用のうちの１つの選択を受信することに基づいて、書式付き引用を該電子文書の中に挿入するように適合される、挿入コードセットと、
書式選好コードセットであって、該書式選好コードセットは、ユーザが書式選好を設定することを可能にするように、および該書式選好を使用して該書式付き引用を生成するように適合される、書式選好コードセットと
を備える、システム。
【請求項９】
電子文書内の１つ以上の引用を処理するためのコンピュータベースのシステムであって、
該システムは、
電子文書内の書式なし引用を同定するように適合される引用同定コードセットと、
合致引用コードセットであって、該合致引用コードセットは、一組の引用を中に記憶している引用ライブラリにアクセスするように、および該同定された書式なし引用を該引用ライブラリと比較して、該書式なし引用と潜在的に合致する一組の引用を同定するように適合される、合致引用コードセットと、
挿入コードセットであって、該挿入コードセットは、該一組の潜在的に合致する引用のうちの１つの選択を受信することに基づいて、書式付き引用を該電子文書の中に挿入するように適合される、挿入コードセットと、
参考文献検証コードセットであって、該参考文献検証コードセットは、該電子文書内の文書書式設定構造および埋め込まれたメタデータを自動的に認識するように適合され、および該埋め込まれたメタデータを自動的に抽出し、該抽出されたメタデータを一組の少なくとも１つのオーソリティデータベースと比較することにより、一組の少なくとも１つの引用の妥当性を決定するようにさらに適合される、参考文献検証コードセットと
を備える、システム。
【請求項１０】
前記一組の少なくとも１つのオーソリティデータベースは、以下のデータベース：ＩＳＩ  Ｗｅｂ  ｏｆ  Ｓｃｉｅｎｃｅ、ＩＳＩ  Ｗｅｂ  ｏｆ  Ｋｎｏｗｌｅｄｇｅ、Ｎａｔｉｏｎａｌ  Ｌｉｂｒａｒｙ  ｏｆ  Ｍｅｄｉｃｉｎｅ  ＰｕｂＭｅｄ、ＣｒｏｓｓＲｅｆ、ＢＩＯＳＩＳ、Ｄｉａｌｏｇ、ｌｉｂｒａｒｙＯＰＡＣＳ、Ｍｅｄｌｉｎｅ、ＰｒｏＱｕｅｓｔ、Ｏｖｉｄ、Ｅｂｓｃｏ、ＷｉｌｓｏｎＷｅｂ、およびジャーナル構成された外部データベースのうちの少なくとも１つを含む、請求項９に記載のシステム。
【発明の詳細な説明】
【技術分野】
【０００１】
（関連出願の相互参照）
本願は、米国特許出願第１０／１６６，０５８号（名称「Ｓｙｓｔｅｍ  Ａｎｄ  Ｍｅｔｈｏｄ  Ｆｏｒ  Ｃｉｔａｔｉｏｎ  Ｐｒｏｃｅｓｓｉｎｇ，Ｐｒｅｓｅｎｔａｔｉｏｎ  ａｎｄ  Ｔｒａｎｓｐｏｒｔ」、２００２年６月１０日出願）の一部継続出願および米国特許出願第１１／８２０，８４２号（名称「Ｍｅｔｈｏｄ  Ａｎｄ  Ｓｙｓｔｅｍ  Ｆｏｒ  Ｖａｌｉｄａｔｉｎｇ  Ｒｅｆｅｒｅｎｃｅｓ」、２００７年６月２１日出願）の一部継続出願として優先権の利益を主張し、米国仮特許出願第６１／３９７，６７２号（名称「Ｓｙｓｔｅｍ  Ａｎｄ  Ｍｅｔｈｏｄ  Ｆｏｒ  Ｃｉｔａｔｉｏｎ  Ｐｒｏｃｅｓｓｉｎｇ，Ｐｒｅｓｅｎｔａｔｉｏｎ  ａｎｄ  Ｔｒａｎｓｐｏｒｔ  Ａｎｄ  Ｆｏｒ  Ｖａｌｉｄａｔｉｎｇ  Ｒｅｆｅｒｅｎｃｅｓ」、２０１０年６月１５日出願）の優先権を主張し、これらの出願の全ては、その全体が本明細書に参照することによって援用される。
【０００２】
（発明の分野）
本発明の分野は、概して、文書処理に関し、より具体的には、ワードプロセッサ等の文書レンダリングアプリケーション内において提示するために、引用データ、特に、ライブラリ引用を動的に処理するためのシステムおよび方法に関する。本発明はさらに、概して、情報科学および情報学（または情報計量学）に関し、より具体的には、計量書誌学および科学計量学の分野、ならびに著作作品に含まれる参考文献情報を検証することに関する。
【背景技術】
【０００３】
（発明の背景）
印刷機、植字、タイプライティング機、ならびにコンピュータ実装文書処理および記憶の出現により、人間によって生成される情報の量が劇的に、かつてない速度で上昇してきた。結果として、この増大しつつある多量の情報の回収および流通を正確に収集および記憶する、同定する、追跡する、類別する、および目録を作る必要性が引き続き存在し、高まりつつある。
【０００４】
学術的および科学的な研究、ならびに文書研究のための洗練された過程および慣例の執筆の分野では、「書誌的引用」と呼ばれる、資料を支持し、研究分野を組織化することが出現してきている。そのような科学的書物は、とりわけ、本、機関誌、雑誌、または他の定期刊行物に発表された記事、原稿、ならびに議事録および議事出版物の中等で協会、業界、および職能団体によって提示、提出、および発表された論文を含む。研究の本文をより効率的かつ効果的に前進させるように、学術的書物で発表された情報の広範な流通を促進するために、学者および科学者は、書物に記載される進歩が基礎とする他者または自身の以前の研究を認識するために、書誌的引用を使用する。任意の特定の研究または研究の本文に含まれるような「引用」または「引用参考文献」は、インテキスト引用、脚注、巻末注、および文献目録を集合的に形成し、著者によって依拠または考慮される情報源を同定するため、ならびにさらなる研究のために内容および方向の精度を確認する方法を読者に与えるために使用される引用参考文献、書誌または他の参考文献データを広範に指すために本明細書で使用される。「文献目録」とは、著者、出版者、または所与の主題に特有の書物の完全または選択的なリストまたは編集を指してもよく、あるいは、論文、記事、本、または他の情報物を作成する際に著者によって依拠される、または考慮される書物のリストまたは編集を指してもよい。
【０００５】
引用は、各引用書物を情報源またはオーソリティへの参照として簡潔に表現および同定する。引用および文献目録は、情報を解釈することの一貫性を増進するために、特定の書式設定慣例に従う。各引用は、一般的には、全体署名、著者名、出版者の同定、巻、版、および他のデータ含む出版データ、ならびに出版の日付および場所といった情報を含む。各引用と関連付けられる書式設定要件および多数のフィールドを考慮し、所与の論文の中に数十の引用、場合によっては数百の引用があることを考慮すると、つづりの間違いおよび誤字の可能性が、出版および研究の過程における重要問題を提起する。おそらく所与の論文と関連付けられる題名以外、フィールドのほとんどは本質的に曖昧である。例えば、所与の参考文献の巻、ページ、およびデータフィールドまたはデータは、間違いがある場合には、特に有用ではない。言葉の列からの１つの言葉の中の１文字の欠落またはつづりの間違いが、依然として使用可能な情報を残す題名情報とは対照的に、欠落または間違っている日付または巻の文字は、残りのデータをほとんど無益にし、または少なくとも信頼できなくする。また、著者名は、ほとんど、通常、完全なファーストネームまたはミドルネームであるよりも、むしろイニシャル（例えば、Ｊ．Ｓｍｉｔｈ）等の省略形式であり、あるいは、例えば、Ｊｏｈｎ  Ｓｍｉｔｈといったありふれたファーストまたはラストネームまたは両方を有すること等の他の著者との共通性を自然に受ける。これは、著者の実際の同定に関する潜在的な曖昧性をもたらす。著者および他の引用情報の曖昧性を排除するために多くの試行が行われてきた。情報の曖昧性を排除するためのシステムおよび方法は、本願の出願人によって所有され、参照することにより本明細書に組み込まれる、Ｍｅｔｈｏｄ  ａｎｄ  Ｓｙｓｔｅｍ  ｆｏｒ  Ｄｉｓａｍｂｉｇｕａｔｉｎｇ  Ｉｎｆｏｒｍａｔｉｏｎ  Ｏｂｊｅｃｔｓと題された、２００７年５月２日出願の米国第１１／７９９，７８６号で開示されている。
【０００６】
科学および研究データベースの追跡の支援において、データベース管理ツール、引用管理および分析ツール、研究オーサリングツール、ならびに他の強力なツールおよびリソースが、学者、研究者、および科学者の有益な利用のために使用および開発されてきた。これらのツールおよびリソースは、インターネットまたは何らかの他のコンピュータネットワーク上のオンライン環境内のユーザに利用可能であり得、クライアント・サーバアーキテクチャ、中央および／またはローカルデータベース、アプリケーションサービスプロバイダ（ＡＳＰ）、または電子データベースおよびソフトウェアツールに効果的に通信およびアクセスするための他の環境の形態であってもよい。そのようなツールおよびリソースの例は、Ｔｈｏｍｓｏｎ  ＳｃｉｅｎｔｉｆｉｃのＷｅｂ  ｏｆ  ＳｃｉｅｎｃｅＴＭ（ＷｏＳ）、Ｗｅｂ  ｏｆ  ＫｎｏｗｌｅｄｇｅＴＭ（ＷｏＫ）、ＥｎｄＮｏｔｅＴＭ、ＥｎｄＮｏｔｅＷｅｂＴＭ、ＰｒｏＣｉｔｅＴＭ、Ｒｅｆｅｒｅｎｃｅ  ＭａｎａｇｅｒＴＭ、およびＲｅｆＶｉｚＴＭを含む、出版ソリューションのＲｅｓｅａｒｃｈＳｏｆｔＴＭパッケージソフト、ならびにＳｃｈｏｌａｒ  ＯｎｅのＭａｎｕｓｃｒｉｐｔ  ＣｅｎｔｒａｌＴＭ等のソリューションである。出版過程における長年の問題は、作成中に引用情報を論文に正確に入力すること、および出版前に引用の精度を手動で検証するという時間がかかる退屈な過程となっている。不完全な情報および誤った情報（例えば、つづりの間違いおよび誤字）等の小さいが重大な間違いは、著者および出版者に信頼性を失わせ、読者に文書で誤って引用された参考資料を探す努力を無駄にさせる。
【０００７】
データベースを構築し、データベース情報を確認することを支援するために使用される技法は、さらなる処理のために論文および引用から情報を抽出するために電子文書において行われる、文または言葉の構造からのデータの構文解析等の抽出および分類を含む。
【０００８】
本明細書で使用されるような「書物」、「原稿」、および「論文」は、「ハード」文書および「ソフト」電子文書の両方を指すものとし、交換可能に使用され、最も広い集合的な意味を与えられるものとする。そのような著作作品が、現在、全体的または部分的に電子的に広く作成され、編集され、維持され、アーカイブに保管され、目録作成され、研究されている。インターネットならびに他のネットワークおよびイントラネットが、そのような情報の電子流通およびアクセスを促進する。データベース、データベース管理システム、および検索言語、特にリレーショナルデータベース、ＩＢＭ、Ｏｒａｃｌｅ、Ｓｙｂａｓｅ、Ｍｉｃｒｏｓｏｆｔ、およびその他によって開発されたＤＢ２およびその他の出現は、科学および科学の研究の全ての分野をさらに進歩させる強力な検索および開発のツールおよび環境を提供してきた。ありとあらゆる知識を組織化し、活用することに役立つように特異的に設計されているＷｏＳおよびＷｏＫ等の電子データベースおよび関連サービスを作成してきた企業および機関がある。
【０００９】
数千もの論文および原稿が毎日、著者によって校閲者および出版者に提出され、提出物の多くが不正な書式の参考文献を含む。これらの間違いを見つけて訂正するための、現在の出版物への経路は通常、スタイルおよび内容の精度のチェックから構成される手動の参考文献検証ステップを含む。検証タスクは、種々の役割によって、最も一般的にはコピーエディタまたはプロダクションエディタによって、しかしまた、おそらくは植字機によって行われてもよい。数十（または数百）の引用参考文献を一般的に含有する論文および原稿があると、検証過程は退屈で時間がかかり、出版者の訂正および書式設定労力の最大で６０％を占めると推定されているかなりの費用を出版過程に追加する。
【００１０】
本開発は、原稿作成、提出、承認、校正、および生産過程という脈絡の中で、参考文献検証ツールを開発する重要な機会を提供してきた。本明細書においてオーソリティデータベースと呼ばれ得る多くの参照データベースが、ウェブサービス接続を介して利用可能になってきている。現在、原稿または電子文書からの参考文献リストをＸＭＬに効率的に引き出すか、または抽出することが可能である。また、論文作成および提出過程で使用される過程は、相補的、協調的、および効率的な全体過程を提供するために、出版過程の生産段階に拡張されてもよい。
【００１１】
出版前に参考文献を検証することと関連付けられる費用および負担を効果的に削減するために、ロバストで正確な参考文献マークアップおよび検証ツールが必要とされる。
【００１２】
「検証、ＸＭＬ、学術的メタデータ等」を対象にする既存の成果およびシステムは、以下を含む。文書中のＸＭＬタグおよびスキーマの検証に現在適用され、関連データの検証に適用されないＸＭＬ検証。学術的メタデータおよびリンキングは、例えば、特定の学術的研究のデジタルオブジェクト同定子（ＤＯＩ）または一意的なデジタル同定子、例えば、ＵＲＬを指す。ＤＯＩは、デジタル環境内のコンテンツオブジェクトを同定するために使用されてもよい。デジタルネットワーク上で動作するエンティティは、ＤＯＩ「名前」が割り当てられ、アドレス情報を含む「現在の情報」がそれらと関連付けられている。名前情報は変化しないが、他の情報、例えば、アドレスは、経時的に変化してもよい。ＤＯＩシステムは、同定、コンテンツ、メタデータ、リンク、およびメディアを管理するためのフレームワークを提供する。
【発明の概要】
【発明が解決しようとする課題】
【００１３】
処理された引用の精度を確保および助長するため、ならびに文書あるいは原資料または参考文献の目録または他のリスト等の文書と関連付けられるファイル内で、著者によって提供されるような限定された一組の引用データに基づいて、１つ以上の受理可能な引用から引用を選択するために、文語引用を自動的に処理する改良型方法およびシステムが必要とされる。
【課題を解決するための手段】
【００１４】
本発明は、文書が文書レンダリングアプリケーションによって提示されている間に、文書内に含有される１つ以上の引用を自動的に処理するためのシステムおよび方法を対象とする。本発明の方法は、書式なし引用を同定するためにスキャンするステップと、１つ以上の引用用語を決定するために書式なし引用を解析するステップとを含む。１つ以上の引用ライブラリが、１つ以上の引用用語を備える引用を見出すように問い合わされる。クエリの範囲内に入る引用が、選択され、適正に書式設定され、文書に挿入される。
【００１５】
文書内に含有される引用の処理を自動化するために、スキャニングは周期的に実行される。本発明の一実施形態によれば、スキャニングはアイドル状態が同定されたときに実行される。方法は、文書に挿入された引用を形成する引用データを備える移動ライブラリを、文書に埋め込むステップを含んでもよい。また、クエリの範囲内に入る引用を形成する引用データへのリンクが挿入されてもよい。
【００１６】
本発明はまた、文書が文書レンダリングアプリケーションによって提示されている間に、文書内に含有される１つ以上の引用を自動的に処理するためのシステムも検討する。本発明のシステムは、文書内の書式なし引用を同定する引用エディタソフトウェアを備える。引用エディタソフトウェアは、書式なし引用を受信し、引用ライブラリから書式なし引用に合致する引用を読み出し、書式設定および文書への挿入のために引用を引用エディタソフトウェアに戻すように、引用アプリケーションと連動する。引用エディタソフトウェアは、アイドル状態が同定されたとき等のように、周期ベースで、書式なし引用を同定してもよい。
【００１７】
システムは、第１の形式から第２の形式にデータを変換するために、共有ライブラリを使用してもよい。したがって、第１の形式は、引用エディタソフトウェアのネイティブ形式であってもよく、第２の形式は、引用アプリケーションのネイティブ形式であってもよい。文書に埋め込まれる引用を形成する引用データを含有する移動ライブラリが採用されてもよい。本発明の実施形態によれば、リンクが、引用を形成する引用データにリンクする文書に挿入され、引用データは図面またはチャートを備え得る。
【００１８】
本発明は、出版のため、または再調査のために、論文および他の提出物に引用または含まれる参考文献を検証する際に、著者（例えば、研究者、科学者、および学術著者）および出版者（例えば、機関誌ならびに専門および技術協会）のための強化ワークフローソリューションを提供する。本発明は、論文、機関誌、会議抄録、および会議の議事録を出版または市販する時間を加速し、過程における有意な生産性向上を実現する。本発明は、ユーザが、世界中でインターネット等を介して、遠隔で研究および他の生産性ソリューションにアクセスすることを可能にする。本発明は、ユーザがより良く知識を得て、より良い決定を下すこと、および両方をより効率的に行うことを助けるソフトウェアツールおよびアプリケーションを用いて、付加価値のある情報を提供する。本発明は、本明細書において科学的研究との関連で説明され得るが、本発明は、また、法律、税金、会計、高等教育、参照情報、企業の電子学習および評価、金融サービス、および健康管理の分野でユーザを支援することを含む他の用途および環境においても適用可能である。
【００１９】
一実施形態では、本発明は、関心のデータベース、例えば、ＷｏＳ、ＷｏＫ、ＣｒｏｓｓＲｅｆ、およびＰｕｂＭｅｄと併せて使用するための研究およびオーサリング生産性ソフトウェアの統合または統合可能システムを提供する。一例として、Ｔｈｏｍｓｏｎ  ＳｃｉｅｎｔｉｆｉｃアプリケーションのＥｎｄＮｏｔｅ（登録商標）、ＥｎｄＮｏｔｅ  ＷｅｂＴＭ、ＰｒｏＣｉｔｅ（登録商標）、Ｒｅｆｅｒｅｎｃｅ  Ｍａｎａｇｅｒ（登録商標）、ＲｅｆＶｉｚＴＭ、Ａｂｓｔｒａｃｔ  ＣｅｎｔｒａｌＴＭ、Ｐｒｏｃｅｅｄｉｎｇｓ  ＣｅｎｔｒａｌＴＭ、およびＭａｎｕｓｃｒｉｐｔ  ＣｅｎｔｒａｌＴＭは、文献目録、論文、出版物、および他の学術的追求を作成し、記述し、出版し、提出し、管理する包括的ソリューションを提供するために使用されてもよい、市販されるシステムである。このソリューションのシステムに含まれる機能の多くが自動化されてもよい。本発明は、１つ以上のそのようなソリューションまたはそれらの組み合わせとともに使用されてもよい。Ｍａｎｕｓｃｒｉｐｔ  Ｃｅｎｔｒａｌは、学術出版者用のウェブベースのデータベース駆動型査読およびオンライン提出ソリューションを提供する。Ｍａｎｕｓｃｒｉｐｔ  Ｃｅｎｔｒａｌは、機関誌への原稿提出を自動化し、容易な管理、編集、および再調査の能力を可能にする。
【００２０】
ＥｎｄＮｏｔｅ（登録商標）、ＰｒｏＣｉｔｅ（登録商標）、およびＲｅｆｅｒｅｎｃｅ  Ｍａｎａｇｅｒ（登録商標）は、デスクトップアプリケーションであるが、また、文献目録を公開および管理するために使用されるブラウザベースのアプリケーションであり得る。これらの製品を用いて、ユーザ、例えば、論文を書く学生、研究を発表する専門家は、例えば、個人的な参考文献ライブラリを構築するようにインターネットデータベースを検索する、オンラインおよびＣＤ−ＲＯＭデ−タベースならびにライブラリカタログから参考文献をインポートする、数百の学術的出版物の文献目録を自動的に書式設定する、参考文献が引用されると瞬時に文献目録を作成するためにＭｉｃｒｏｓｏｆｔ（登録商標）  Ｗｏｒｄ（登録商標）とともにＣｉｔｅ  Ｗｈｉｌｅ  Ｙｏｕ  ＷｒｉｔｅＴＭ特徴を使用する、といったことを行うことができる。ＥｎｄＮｏｔｅ  Ｗｅｂは、論文中の参考文献を管理および引用し、文献目録を作成するためのウェブベースのツールである。ＥｎｄＮｏｔｅデスクトップおよびＩＳＩ  Ｗｅｂ  ｏｆ  Ｋｎｏｗｌｅｄｇｅ（ＳＭ）研究プラットフォームとシームレスに統合され、ＥｎｄＮｏｔｅ  Ｗｅｂは、既存のＥｎｄＮｏｔｅユーザのためのオンライン協調環境、および基本的な書誌ソリューションを必要とする大学生のための入口を提供する。ＲｅｆＶｉｚＴＭは、テキスト分析および可視化ツールを提供し、主要なテーマおよび話題について参考文献ライブラリを視覚的に探索する強力な方法を提供するように、ＥｎｄＮｏｔｅ、ＰｒｏＣｉｔｅ、およびＲｅｆｅｒｅｎｃｅ  Ｍａｎａｇｅｒとシームレスに連動する。ＲｅｆＶｉｚは、ユーザが大量の参考文献を迅速に評価することを可能にし、研究過程を加速する。
【００２１】
一実施形態では、本発明は、引用された参考文献を自動的に検証する。本発明を説明するために使用されるように、参考文献を検証することは、単に引用書式をチェックすることを意味するだけでなく、むしろ引用参考文献が実際に存在し、引用された通りに出版されたかを検証することを意味する。相違点は、参考文献が適切な書式であってもよく、それでもやはり既存の出版物に関係しなくてもよいことである。本発明の目標は、提出されたデータの精度を確認することである。読者が、参照された資料のコピーを入手して、参考文献が引用している論文中に表されているような提議を支持することを立証するために引用参考文献を使用し、さらなる研究を促進するために参考文献を使用することができるように、提出された論文中で同定される参考文献が存在することを確認することが重要である。本発明の検証過程は、引用参考文献が実際に存在することを確認することである。検証は、引用参考文献中に現れる題名、著者、引用、および他のデータが、適正な書式であることを単に意味するのではなく、それが正確であることを意味する。このようにして、単純な間違い、完全に誤った引用、および詐欺的表示が発見され、作用されてもよい。
【００２２】
提出された論文または抽出された参考文献リストに基づいて検証過程を実行した後に、システムは、いくつかの方法のうちの任意の方法で、ユーザまたは過程に関与する他の関係者（例えば、査読委員会）に応答することができる。例えば、システムは、立証の指示を与え、どの参考文献が検証されているか、または検証されていないかを同定し、誤っているように思われる引用参考文献または文書中のデータまたはフィールドに下線を引き、間違ったデータの代用として密接に合致する参照データを提案することができる。システムはまた、結果ページを実際の確認された参考文献または提案された参考文献と直接リンクするように、例えば、引用参考文献と関連付けられるハイパーリンクを含むこともできる。本発明は、著者、引用、日付等を検証することに限定されず、引用参考文献、またはデータが比較され得る対応するオーソリティデータベースが存在する論文の中にさえ現れる任意の特徴を検証するために使用することができる。例えば、著者が、協会、例えば、ＩＥＥＥの「フェロー」または「メンバー」であるか、あるいは学校の学部のメンバーであるか、または議長の地位にあると主張する場合、例えば、システムがその協会または学部用のメンバーシップデータのオーソリティデータベースにアクセスできる限り、論文または他の文書からの情報が抽出され、マークアップされ、または別様に扱われ、そして、データベースおよび検証されたデータに対して比較され得る。加えて、これらの過程は、論文が以前に発表されていないことを検証するために使用されてもよい。過程の一部として、ユーザは、検証過程が行われるデータベースのリストから選択することができ、またはシステムは、所定の一組の１つ以上のデータベースにデフォルト設定してもよい。本発明とともに使用するための例示的なデータベースは、公的参照データベース、例えば、ＣｒｏｓｓＲｅｆおよびＰｕｂＭｅｄ、商用データベース、例えば、Ｗｅｂ  ｏｆ  Ｓｃｉｅｎｃｅ（ＷｏＳ）、Ｗｅｂ  ｏｆ  Ｋｎｏｗｌｅｄｇｅ（ＷｏＫ）、およびＢＩＯＳＹＳ、ならびに非公開の特殊データベースを含む。
【００２３】
一実施形態では、本発明は、文書内の１つ以上の引用を処理するためのコンピュータベースの方法を提供する。方法は、電子文書の中の書式なし引用を同定するステップと、同定された書式なし引用を解析し、１つ以上の引用用語を決定するステップと、あり得る合致する引用を見出すために、１つ以上の引用ライブラリに問い合わせるステップであって、それぞれのあり得る合致する引用は、１つ以上の引用用語の少なくとも一部分を備える、ステップと、選択するために、一組のあり得る合致する引用を提示するステップと、一組のあり得る合致する引用のうちの選択された１つに基づいて書式付き引用を文書に挿入するステップとを含む。加えて、方法は、文書内のインテキスト引用と、引用目録の中の対応する引用との間のハイパーリンクを提供するステップを提供してもよい。文書は、複数のセクションを有してもよく、各セクションは、別個の引用目録を有し、インテキスト引用は、それが現れるテキストのセクション、およびそのセクションと関連付けられる目録に基づいてリンクされてもよい。方法は、文書に挿入された書式付き引用を形成する引用データを備える、移動ライブラリを、文書に埋め込むステップを含んでもよい。方法は、文書を準備する間に、インテキスト引用書式を切り替えるステップと、一組の引用を組織的なグループに自動的にグループ化するステップと、引用が文書に挿入される、または文書から削除される際に、付加的な引用を含むように、組織的なグループを自動的に更新するステップと、文書に含まれる引用参考文献のリストを提供するステップであって、リストは、源引用参考文献への少なくとも１つのハイパーリンクを含む、ステップと、ユーザが書式選好を設定することを可能にするステップと、選択されたあり得る引用から書式付き引用を生成するために、書式選好を使用するステップとを含んでもよい。
【００２４】
別の実施形態では、本発明は、文書内の１つ以上の引用を処理するためのコンピュータベースのシステムを提供する。システムは、文書内の書式なし引用を同定するように適合される、引用同定コードセットと、一組の引用をその中に記憶している、引用ライブラリにアクセスするように、および引用ライブラリに対して同定された書式なし引用を比較して、書式なし引用に潜在的に合致する一組の引用を同定するように適合される、合致引用コードセットと、一組の潜在的に合致する引用のうちの１つの選択の受信に基づいて、書式付き引用を文書に挿入するように適合される、挿入コードセットとを含む。
【００２５】
本発明は、ソースアプリケーション切替、Ｍｉｃｒｏｓｏｆｔ  Ｗｏｒｄ引用インポート、セクション文献目録、複合引用、引用から文献目録へのリンク、ソース参考文献管理アプリケーションにおいて組織的なグループを生成、および複数のライブラリからの参考文献を管理するといった機能的特徴を提供する。
【００２６】
より具体的には、ソースアプリケーション切替は、デスクトップデータベースの中およびウェブ上に同一の参考文献ライブラリを記憶し、いずれか一方の場所からの文書に参考文献を挿入し、いずれか一方のソースアプリケーションからの引用をシームレスに書式設定して更新する方法を提供する。
【００２７】
Ｍｉｃｒｏｓｏｆｔ  Ｗｏｒｄ引用インポートは、Ｍｉｃｒｏｓｏｆｔ  Ｗｏｒｄ  ２００７以降によって文書に挿入されたＸＭＬ引用データを取り入れ、これを、好ましい、所定の、または独自の仕様の文書中データ形式に変換する機構を提供する。
【００２８】
セクション文献目録は、文書内のセクションマーカーを同定し、文書の終わりに完全な文献目録を伴って、または伴わずに、各セクションの終わりに別個の文献目録を作成する機構を提供する。
【００２９】
複合引用は、文献目録の中の１つの記入事項として一緒にグループ化され、所与の一組の書誌書式設定規則によって特定されるような特定の英数字ラベルによって個別に区別される、１つの複合引用として、参考文献のグループを扱うための機構を提供する。
【００３０】
引用から文献目録へのリンクは、この目的でハイパーリンクとして扱われる、インテキスト引用をクリックすることによって、文献目録の中の記入事項へナビゲートするための機構を提供する。
【００３１】
ソース参考文献管理アプリケーションにおいて組織的なグループを生成することは、ソース参考文献管理アプリケーション内で、文書で使用されている参考文献の組織的グループ化を自動的に作成する機構を提供し、次いで、そのグループ化は、参考文献が文書に挿入される、または文書から削除される際に自動的に更新される。
【００３２】
複数のライブラリからの参考文献を管理することは、複数の参考文献ライブラリから文書に参考文献を挿入するための支援を提供し、各参考文献のソースライブラリを示し、ユーザがそれらのソースライブラリからの個々の参考文献を更新すること、または参考文献を別のライブラリからのバージョンと交換することを可能にする、ユーザインターフェースを提供する。
本明細書は、例えば、以下の項目も提供する。
（項目１）
文書内の１つ以上の引用を処理するためのコンピュータベースの方法であって、
該方法は、
電子文書の中において書式なし引用を同定することと、
該同定された書式なし引用を構文解析して、１つ以上の引用用語を決定することと、
あり得る合致引用を見出すために、１つ以上の引用ライブラリに問い合わせることであって、各あり得る合致引用は、該１つ以上の引用用語の少なくとも一部分を備える、ことと、
一組のあり得る合致引用を選択するために提示することと、
該一組のあり得る合致引用のうちの選択された１つに基づいて、書式付き引用を該文書の中に挿入することと
を含む、方法。
（項目２）
前記文書内のインテキスト引用と、引用目録の中の対応する引用との間にハイパーリンクを提供することをさらに含む、項目１に記載の方法。
（項目３）
文書は、複数のセクションを備え、各セクションは、別個の引用目録を有し、前記インテキスト引用は、それが現れるテキストのセクション、および当該セクションと関連付けられる該目録に基づいてリンクされる、項目２に記載の方法。
（項目４）
移動ライブラリを前記文書に埋め込むことを含み、該移動ライブラリは、該文書の中に挿入される前記書式付き引用を形成する引用データを備える、項目１に記載の方法。
（項目５）
前記挿入することは、前記書式付き引用を形成する引用データにリンクを挿入することを含む、項目１に記載の方法。
（項目６）
前記文書を準備する間に、インテキスト引用書式の間で切り替えることをさらに含む、項目１に記載の方法。
（項目７）
一組の引用を組織的なグループに自動的にグループ化することと、
引用が前記文書の中に挿入または該文書から削除される際に、付加的な引用を含むように該組織的なグループを自動的に更新することと
をさらに含む、項目１に記載の方法。
（項目８）
参考文献検証過程を前記文書において実行することをさらに含み、該参考文献検証過程は、該文書内に含有された文書書式設定構造および埋め込まれたメタデータを認識するように適合され、該参考文献検証過程は、該埋め込まれたメタデータを抽出して、該抽出されたメタデータを一組の少なくとも１つのオーソリティデータベースと比較することにより、該文書内に含有された一組の引用の妥当性を決定するようにさらに適合される、項目７に記載の方法。
（項目９）
前記文書の中に含まれる引用参考文献のリストを提供することをさらに含み、該リストは、ソース引用参考文献への少なくとも１つのハイパーリンクを含む、項目１に記載の方法。
（項目１０）
ユーザが書式選好を設定することを可能にすることと、前記選択されたあり得る引用から前記書式付き引用を生成するために該書式選好を使用することとをさらに含む、項目１に記載の方法。
（項目１１）
文書内の１つ以上の引用を処理するためのコンピュータベースのシステムであって、
該システムは、
文書内の書式なし引用を同定するように適合される引用同定コードセットと、
合致引用コードセットであって、該合致引用コードセットは、一組の引用を中に記憶している引用ライブラリにアクセスするように、および該同定された書式なし引用を該引用ライブラリと比較して、該書式なし引用と潜在的に合致する一組の引用を同定するように適合される、合致引用コードセットと、
挿入コードセットであって、該挿入コードセットは、該一組の潜在的に合致する引用のうちの１つの選択を受信することに基づいて、書式付き引用を該文書の中に挿入するように適合される、挿入コードセットと
を備える、システム。
（項目１２）
ハイパーリンクコードセットをさらに備え、該ハイパーリンクコードセットは、前記文書内のインテキスト引用と、引用目録の中の対応する引用との間にハイパーリンクを提供するように適合される、項目１１に記載のシステム。
（項目１３）
文書は、複数のセクションを備え、各セクションは、別個の引用目録を有し、前記インテキスト引用は、それが現れるテキストのセクションおよび当該セクションと関連付けられる該目録に基づいてリンクされる、項目１２に記載のシステム。
（項目１４）
第１の書式から第２の書式にデータを変換するための共有ライブラリを備える、項目１１に記載のシステム。
（項目１５）
前記書式付き引用を形成する引用データを含有する移動ライブラリを備え、該引用データは前記文書に埋め込まれる、項目１１に記載のシステム。
（項目１６）
リンクが、引用データにリンクする前記文書の中に挿入され、該引用データは、前記書式付き引用を形成する、項目１１に記載のシステム。
（項目１７）
切替コードセットをさらに備え、該切替コードセットは、文書が準備されている間に、インテキスト引用書式の間で切り替えるように適合される、項目１１に記載のシステム。
（項目１８）
コードセットをさらに備え、該コードセットは、一組の引用を組織的なグループの中に自動的にグループ化するように適合される、項目１１に記載のシステム。
（項目１９）
コードセットをさらに備え、該コードセットは、引用が前記文書の中に挿入または該文書から削除される際に、前記組織的なグループを自動的に更新して付加的な引用を含むように適合される、項目１８に記載のシステム。
（項目２０）
コードセットをさらに備え、該コードセットは、前記文書の中に含まれる引用参考文献のリストを提供するように適合され、該リストは、ソース引用参考文献への少なくとも１つのハイパーリンクを含む、項目１１に記載の方法。
（項目２１）
コードセットをさらに備え、該コードセットが前記文書を構文解析するように適合されることにより、引用デリミターは、前記書式なし引用を同定する、項目１１に記載のシステム。
（項目２２）
引用アプリケーションが、引用用語デリミターが１つ以上の引用用語を決定するように構文解析し、および該１つ以上の引用用語を前記引用ライブラリの中の前記複数の引用と比較することにより、該引用ライブラリの中の該複数の引用のうちのいずれかが前記書式なし引用と合致するか否かを同定する、項目１１に記載のシステム。
（項目２３）
書式選好コードセットを備え、該書式選好コードセットは、ユーザが書式選好を設定することを可能にするように、および該書式選好を使用して前記書式付き引用を生成するように適合される、項目１１に記載のシステム。
（項目２４）
参考文献検証コードセットを備え、該参考文献検証コードセットは、前記文書内の文書書式設定構造および埋め込まれたメタデータを自動的に認識するように適合され、および該埋め込まれたメタデータを自動的に抽出し、該抽出されたメタデータを一組の少なくとも１つのオーソリティデータベースと比較することにより、一組の少なくとも１つの引用の妥当性を決定するようにさらに適合される、項目１１に記載のシステム。
（項目２５）
前記一組の少なくとも１つのオーソリティデータベースは、ＩＳＩ  Ｗｅｂ  ｏｆ  Ｓｃｉｅｎｃｅ、ＩＳＩ  Ｗｅｂ  ｏｆ  Ｋｎｏｗｌｅｄｇｅ、Ｎａｔｉｏｎａｌ  Ｌｉｂｒａｒｙ  ｏｆ  Ｍｅｄｉｃｉｎｅ  ＰｕｂＭｅｄ、ＣｒｏｓｓＲｅｆ、ＢＩＯＳＩＳ、Ｄｉａｌｏｇ、ｌｉｂｒａｒｙＯＰＡＣＳ、Ｍｅｄｌｉｎｅ、ＰｒｏＱｕｅｓｔ、Ｏｖｉｄ、Ｅｂｓｃｏ、ＷｉｌｓｏｎＷｅｂ、およびジャーナル構成された外部データベース等のデータベースのうちの少なくとも１つを含む、項目２４に記載のシステム。
【００３３】
本発明の完全な理解を促進するために、類似要素が類似数字で参照される、添付図面をここで参照する。これらの図面は、本発明を限定するものとして解釈されるべきではないが、例示的であり、参考のためであることを目的としている。
【図面の簡単な説明】
【００３４】
【図１】図１は、本発明の一実施形態による、ハードウェアおよびソフトウェアコンポーネントの構成を提示するブロック図である。
【図２】図２は、本発明の一実施形態による、文書内の引用を自動的に書式設定するための過程を提示するフロー図である。
【図３】図３は、本発明の一実施形態による、曖昧な引用を解決するためのインターフェースを提示する画面図である。
【図４】図４は、本発明の一実施形態による、移動ライブラリをエクスポートするための方法を提示するフロー図である。
【図５】図５は、本発明の一実施形態による、文献目録を生成するための方法を提示するフロー図である。
【図６】図６は、本発明の一実施形態による、引用を編集するための方法を提示するフロー図である。
【図７】図７は、本発明の一実施形態による、注記を挿入するための方法を提示するフロー図である。
【図８】図８は、本発明の一実施形態による、ライブラリ参照を編集するための方法を提示するフロー図である。
【図９】図９は、本発明の一実施形態による、出版物からのチャートまたは略図を文書に挿入するための方法を提示するフロー図である。
【図１０】図１０は、本発明を使用して、引用参考文献をタグ付けし、抽出し、検証するための第１の例示的なシステムを図示する概略図である。
【図１１】図１１は、本発明の参考文献抽出および検証技法をさらに図示する概略図である。
【図１２】図１２は、本発明の参考文献抽出および検証技法を図示する概略図である。
【図１３】図１３は、本発明の参考文献抽出および検証リンキング技法をさらに図示する論理フロー図である。
【図１４】図１４は、本発明の参考文献抽出および検証技法を利用する、オーサリング、提出、および検証システムの概略図である。
【発明を実施するための形態】
【００３５】
ここで、添付図面で示されるような例示的実施形態を参照して、本発明をさらに詳細に説明する。本発明は、例示的実施形態を参照して本明細書で説明されるが、本発明は、そのような例示的実施形態に限定されないことを理解されたい。本明細書の教示にアクセスできる当業者であれば、本明細書で開示および請求されるような本発明の範囲内にあるものとして、および本発明が有意に有用となり得ることに関して、本明細書で完全に検討される、付加的な実装、修正、および実施形態、ならびに本発明を使用するための他の用途を認識するであろう。
【００３６】
本明細書で説明されるように、「項目」という用語、ならびに「書物」、「原稿」、「論文」、および「記事」という用語は、ハードおよびソフト文書、論文、書物、および他の出版物を指すと理解されるものとし、本発明が、あらゆる種類の出版物、論文、書物、記事、投稿、社説、本、章、または他の種類の発表された論文または文書を対象とすることを目的としているため、全て他の用語をそれぞれ本質的に指すように意図されている。例えば、項目から情報を抽出する際に、捕捉される情報の一部は、項目の引用参考文献目録である。そのような文献目録の中の項目は、「参照項目」と呼ばれてもよい。そのような参照項目は、源項目として捕捉される項目であってもよいが、必ずしもそうでなくてもよい。
【００３７】
図１〜８を参照すると、本発明の種々の実施形態が提示されている。図１は、本発明を備えるハードウェアおよびソフトウェアコンポーネントの構成の一実施形態を提示するブロック図である。汎用オペレーティングシステム１０２が、データを記憶し、アプリケーションを実行および入出力のフローを規制するためのフレームワークとして提供される。例示的な汎用オペレーティングシステムは、Ａｐｐｌｅ  Ｃｏｍｐｕｔｅｒ，Ｉｎｃ．からのＭａｃ  ＯＳ、Ｍｉｃｒｏｓｏｆｔ  Ｃｏｒｐ．からのＷｉｎｄｏｗｓ（登録商標）、ならびにＬｉｎｕｘ（登録商標）およびＵＮＩＸ（登録商標）オペレーティングシステムの種々の配布である。
【００３８】
１つ以上のマイクロプロセッサ１１４を備えるコンピュータ１００は、オペレーティングシステム１０２を実行する。コンピュータが最初に起動すると、基本的な一組の入出力機能性をマイクロプロセッサ１１４に提供するために、命令が読取専用メモリ（ＲＯＭ）１１８から提供される。ＲＯＭ１１８に含有される一組の命令は、一般的には、ハードドライブ（描写せず）等の持続的記憶デバイス上に維持されるオペレーティングシステム１０２をロードするためにマイクロプロセッサ１１４によって使用される。マイクロプロセッサ１１４は、他の実行アプリケーションプログラム、例えば、文書レンダリングアプリケーション１０８に加えて、オペレーティングシステム１０２によって使用される一過性の記憶スペースを維持するために、ランダムアクセスメモリ１１６を使用する。
【００３９】
コンピュータ１００を使用する著者が、文書レンダリングアプリケーション１０８を実行する。本発明の一実施形態によれば、文書レンダリングアプリケーション１０８は、ＭＩＣＲＯＳＯＦＴ  ＷＯＲＤＴＭ等のテキストおよび同様の混合メディア文書を草稿するために使用されるワードプロセッサである。代替として、文書レンダリングアプリケーションは、ＭＩＣＲＯＳＯＦＴ  ＦＲＯＮＴＰＡＧＥＴＭまたはＢａｒｅ  Ｂｏｎｅｓ  Ｓｏｆｔｗａｒｅ，Ｉｎｃ．によるＢＢＥＤＩＴＴＭ等のＨＴＭＬテキストエディタを備えてもよい。実際に、テキストデータファイルを操作およびレンダリングするように設計されている全てのソフトウェアシステムは、本発明の範囲内に入る。
【００４０】
多くの文書レンダリングアプリケーション１０８は、プラグインまたは同様のアーキテクチャの使用を介して、アプリケーションの機能性を拡張する能力を備える。本発明のシステムは、文書レンダリングアプリケーション１０８との関連の中で引用処理を提供する引用エディタアドイン１０６を備える。Ｍｉｃｒｏｓｏｆｔ  Ｗｏｒｄにおいて、プログラマは、Ｗｏｒｄ環境内で一般的な機能性を提供するために、グローバルテンプレートとも呼ばれるアドインを開発し得る。例えば、アドインは、文書１０４と連動するための共通ツールを含有し得る。著者には、引用エディタアドインが提供するグラフィカルツールバー要素およびメニューコマンドをクリックすることによって、引用エディタアドイン１０６の機能性へのアクセスが提供される。代替として、引用エディタアドインは、カスタムコマンドまたはカスタム特徴をアプリケーションに追加する補足プログラムであってもよい。引用エディタアドイン、および本発明の他の構成要素は、コンピュータによってロードされたときに、本明細書でさらに詳細に説明される過程を実行するようにコンピュータに命令する、コンピュータ可読媒体上に記憶されたソフトウェアとして具現化されてもよいことに留意されたい。
【００４１】
本発明の一実施形態によれば、引用エディタアドイン１０６は、１つ以上のＭｉｃｒｏｓｏｆｔ  Ｏｆｆｉｃｅアプリケーションにおいてロードされて実行されるように設計されているＣＯＭ（コンポーネントオブジェクトモデル）オブジェクトである。ＣＯＭアドインは、アプリケーション間で共有されるアーキテクチャを使用して、１つ以上のＯｆｆｉｃｅアプリケーションに接続し、そこから切断するように設計されている。引用エディタアドイン１０６は、ＤＬＬ（動的リンクライブラリ）を作成することが可能な任意の数のプログラミングツールによって実装されてもよい。
【００４２】
引用エディタアドイン１０６は、引用の作成ならびに文献目録に関係する複数の機能へのアクセスを提供する。例示的な機能性は、引用を見出し、編集し、挿入する、外部引用アプリケーションにアクセスする、文献目録を書式設定する、文書から特殊フィールドコードを除去する、他の著者が文書１０４内に含有される引用を構築するために使用される引用参考文献にアクセスし得る文書を用いてエクスポートするための移動ライブラリを作成する能力を含む。引用エディタアドイン１０６は、また、著者が文書を草稿している間に、引用の即時書式設定をも提供する。本発明の実施形態によれば、引用は、引用されている図面またはチャート等の図形を備えてもよい。
【００４３】
文書レンダリングアプリケーション１０８が実行されるときに、引用エディタアドイン１０６がロードされる。引用エディタアドイン１０６は、文書の著者によって選択されるコマンドを実装または実行するために、必要に応じて引用アプリケーション１１２および文書レンダリングアプリケーション１０８への通信を提供するメニューおよびツールバー要素を実装する。一実施形態によれば、この通信は、共有ライブラリ１１０を介して文書レンダリングアプリケーション１０６および引用アプリケーション１１２によって暴露されるＣＯＭインターフェースを介して実装される。さらに、引用エディタアドイン１０６は、引用処理を必要とする条件、例えば、一時的引用の存在について、文書１０４を監視する。
【００４４】
共有ライブラリ１１０は、文書レンダリングアプリケーション１０８が最初にインスタンス作成されたときに、引用アプリケーション１１２によって、または引用エディタアドイン１０６によってロードされてもよい。共有ライブラリ１１０は、引用エディタアドイン１０６と引用アプリケーション１１２との間の仲介としての機能を果たしてもよい。本質的に、共有ライブラリ１１０は、初期形式から引用アプリケーション１１２を起源とする形式にデータを変換する。例えば、引用エディタアドイン１０６がＣＯＭオブジェクトとして実装される場合、共有ライブラリ１１０は、ＣＯＭデータ要素を、引用アプリケーション１１２を起源とする、例えば、ＣＯＭインターフェースを提供する通信プロトコルまたは形式に準拠するデータ要素に変換する。
【００４５】
共有ライブラリ１１０は、引用エディタアドイン１０６によって実行されるアプリケーション論理が存在する場所である引用アプリケーション１１２によって提供される機能性へのインターフェースを提供する。引用アプリケーション１１２の１つの主要な機能は、文書１０４内の適正に書式設定された引用を提示するために引用エディタアドイン１０６によって使用される基礎引用データを提供することである。引用エディタアドイン１０６は、周期的に、例えば、著者がテキストまたはコマンドの入力を止めたという事実により、アイドル状態が検出されたときに、文書１０４をスキャンする。本発明の一実施形態によれば、一時的引用が同定され、一時的引用内に含有される引用用語が、共有ライブラリ１１０を介して引用アプリケーション１１２に渡される。代替として、著者は、ケースバイケースの基準で処理するための一時的引用を手動で示してもよい。
【００４６】
有利なことに、著者は、書式なし様式で文書１０４内の引用を供給してもよく、それにより、引用エディタアドイン１０６は、引用アプリケーション１１２と連携して、完全な書式付き引用を提供するようにデータを修正する。引用エディタアドイン１０６は、一時的引用を同定するために文書１０４を周期的にスキャンする。一実施形態によれば、引用エディタアドイン１０６は、アイドル期間が同定されたとき、例えば、著者が編集またはコマンド入力過程で中断するときに、文書１０４をスキャンする。引用エディタアドイン１０６は、引用アプリケーション１１２と連携して、一時的引用を適正に書式設定された引用と交換する。さらに、引用は、本発明によってスキャンおよび書式設定され得る一時的引用の使用を介して引用されるチャートまたは図面を参照するために使用されてもよいことに留意されたい。
【００４７】
引用を自動的に書式設定する過程は、バックグラウンドまたは即時書式設定とも呼ばれる。それは、著者が文書１０４内の現在の書式付き引用と常に連動していることを可能にする。著者が引用を文書１０４に追加すると、本発明のシステムおよび方法は、文書１０４の本文中の引用を書式設定し、および、文書１０４の終わりにある文献目録に引用を付加し得る。過程はまた、新しい引用が入力されるとき、または引用が正しいことを確実にするように既存の引用が修正されるときに誘起されてもよい。一実施形態によれば、即時書式設定が実行されるべきか否かを引用エディタアドイン１０６に指示するために、即時書式設定フラグが文書メタデータ内で設定される。即時書式設定が無効にされたときに、著者は、手動ではあるが、コンテンツエディタアドイン１０６によって提示されるグラフィカル制御を介して、引用アプリケーション１１２の引用機能性に手動でアクセスしてもよい。
【００４８】
スキャンするときに、引用エディタアドイン１０６は、デフォルトとして波括弧（「｛｝」）によって表される引用デリミターを同定するが、著者はカスタムの一組の引用デリミターを定義してもよい。引用デリミター内には、コンマ等の用語デリミターによって分離されるいくつかの引用用語がある。したがって、一時的引用は、コンマを含有しなくてもよく、１つのコンマ、２つのコンマ、または３つ以上のコンマを含有してもよい。各引用の検索が別々に実行されるように、セミコロンまたは別の好適なデリミターが、引用セパレータとしての機能を果たすために、一組の引用用語内で使用されてもよく、例えば、｛Ｓｍｉｔｈ，１９９１，Ｄｉｎｏｓａｕｒ；Ｄｏｌｐｈｉｎ｝である。引用エディタアドイン１０６は、文書をスキャンし、著者によって文書１０４に入力された引用を同定する。用語デリミター内の用語は、１つ以上の引用用語に構文解析され、データを引用アプリケーション１１２のネイティブ形式に変換する共有ライブラリ１１０を介して、引用アプリケーション１１２に渡される。引用アプリケーション１１２は、用語デリミター（コンマ）および引用デリミター（セミコロン）の存在を同定するために、受信した用語を分析する。コンマが用語を区切るために利用される場合、厳格な解決が利用される。例えば、引用｛Ｓｍｉｔｈ  Ｊｏｎｅｓ，１９９８  Ｍａｒｃｈ，Ｄｉｎｏｓａｕｒ  ｅｘｔｉｎｃｔｉｏｎ｝は、当業者に周知であるように、用語のそれぞれが引用符によって囲まれているかのように分解される。代替として、例えば、｛Ｓｍｉｔｈ  Ｊｏｎｅｓ  １９９８  Ｍａｒｃｈ  Ｄｉｎｏｓａｕｒ  ｅｘｔｉｎｃｔｉｏｎ｝等の１つ以上の用語が供給される場合、引用は、用語のそれぞれの間にブーリアン「ＡＮＤ」を供給し、用語の全てを備える引用を同定することによって分解される。引用アプリケーションの分析は、引用クエリの定式化をもたらす。
【００４９】
引用アプリケーション１１２は、１つ以上の引用ライブラリ１２２および１２４に問い合わせるために引用クエリを使用する。引用ライブラリ１２２および１２４は、イントラネットまたはインターネット等のローカルエリアまたは広域ネットワークであってもよいネットワーク１２０上でアクセスされてもよい。本明細書でさらに詳細に説明されるように、著者によって選択された選択引用を備えるローカルデータベース（描写せず）が維持されてもよく、遠隔源１２２および１２４にアクセスする必要性を取り除く。各引用ライブラリ１２２および１２４は、１つ以上の機関誌に現れる参考文献に対する１つ以上の引用を備える。
【００５０】
大学のカードカタログ、米国議会図書館、Ｏｖｉｄ  Ｔｅｃｈｎｏｌｏｇｉｅｓ、ＳｉｌｖｅｒＰｌａｔｔｅｒ、およびＯＣＬＣ等の人気プロバイダからのＰｕｂＭｅｄ、ＰｓｙｃｌＮＦＯ、およびＥＲＩＣ等の特殊データベース等の遠隔引用ライブラリのアドレスを示す、ホストデータファイルが提供されてもよい。一般的には、引用ライブラリは、引用クエリを受け取り、ライブラリ１２２および１２４内に含有される引用を検索し、引用クエリの範囲内に入る引用を備える結果セットを返信するデータベースマネージャを備える。引用クエリは、好ましくは、複数の引用ライブラリ１２２および１２４に同時に提出される。
【００５１】
結果セットは、引用アプリケーション１１２に返信される。結果セットが１つだけの引用を備える、例えば、決定的な合致がクエリに対して見出された場合、著者が文書１０４に挿入することを希望する引用が同定される。引用データは、文書１０４に挿入するために、共有ライブラリ１１０を介して引用エディタアドイン１０６に渡される。引用データを参照する「フィールドコード」が、ユーザまたは第三者データ提供者によって維持されるローカルまたは遠隔引用ライブラリに記憶され得る文書に挿入される。フィールドコードは、文書中に表示される書式付き引用の情報源として使用される基礎引用データへのリンクである。
【００５２】
書式付き引用を表示する際に、フィールドコードを介して定義される書式は、著者定義パラメータによって設定されてもよい。種々の学術的機関誌は、引用に対する書式設定要件に関して異なる制約を有する。例えば、Ｊｏｕｒｎａｌ  ｏｆ  ｔｈｅ  Ａｍｅｒｉｃａｎ  Ｍｅｄｉｃａｌ  Ａｓｓｏｃｉａｔｉｏｎは、引用が第１の書式に準拠することを要求し得る一方で、機関誌Ｓｃｉｅｎｃｅは、完全に異なる引用書式を要求し得る。本発明のシステムは、有利なことに、周知の機関誌および出版物に対する引用書式パラメータが供給され得る。このようにして、著者は、パラメータが自動的に設定されるインターフェースを介して、単純に出版物を選択することによって、文書内の引用が標的出版物の引用仕様に準拠することを確実にしてもよい。代替として、または組み合わせて、著者は、所望の値を設定するために、いずれか１つ以上の引用書式パラメータを無効にしてもよい。さらに、著者が文書に対する標的出版物を変更してもよく、ソフトウェアに文書を詳しく検討させ、新しい標的出版物の引用仕様に準拠するように、その中に含有された引用の書式を修正させる機能性が提供される。
【００５３】
本発明のシステムおよび方法によって提供される別の特徴は、「移動ライブラリ」である。著者は、参考文献に関するデータを文書に埋め込むためにフィールドコードが使用される移動ライブラリをエクスポートしてもよい。文書が、同じ引用ライブラリ１２２および１２４にアクセスできない共同研究者によってアクセスされるときに、参照データを見出すことができ、ファイルが文書レンダリングプログラムにロードされたときに完全引用および参考文献が提供され、それにより、共同研究者によって使用されるライブラリを再作成するために引用アプリケーション１１２を使用して引用を再び手動で見つける必要性を取り除く。さらに、共同研究者が文書内に引用を挿入するために付加的なライブラリを使用する場合、これらは、エクスポートされて、原著者に戻され、原著者は完全な一組の引用データへのアクセスを有する。
【００５４】
図２は、文書内に含有される引用を自動的に書式設定するために、図１のハードウェアおよびソフトウェアコンポーネントを操作する方法を図示するフロー図を提示する。ワードプロセッサ等の文書レンダリングアプリケーションを使用して、ステップ２０２において、著者は、一組の引用デリミター、例えば、波括弧によって包囲または封入される書式なし引用を入力する。代替として、著者は、引用が再検証または再書式設定されることを要求する、書式付き引用への編集を行ってもよい。ステップ２０４において、バックグラウンド引用スキャニングが有効にされているかどうかを決定するために、チェックが行われる。ステップ２０４におけるチェックは、好ましくは、文書が文書レンダリングアプリケーションによってロードされたときに行われる。このデータは、文書のメタデータの中に設定されるデータフラグの使用を介して供給されてもよい。バックグラウンドスキャニングが有効にされていない場合、プログラムフローは、ユーザによって挿入されたテキストを修正することなく文書が更新される、ステップ２２０に方向付けられる。
【００５５】
ステップ２０４において、バックグラウンド引用スキャニングが有効にされている場合、ステップ２０６において、文書は、書式なし引用、または書式設定されたが後に修正された引用を同定するためにスキャンされる。書式設定された後に修正された引用を同定することは、いくつかの方法で達成され得る。例えば、引用エディタアドインが所与の文書中の全ての書式付き引用の一覧を編纂するデータファイルが維持されてもよい。文書がスキャンされる度に、引用エディタアドインは、いずれかの書式付き引用が後に修正されたか否かを決定するために、文書中の書式付き引用を、データファイルに含有される以前に書式設定された引用と比較する。代替として、引用エディタアドインは、引用が書式設定される度にフラグを設定してもよく、それは、書式付き引用が後に修正された場合に除去される。スキャンするときに、引用エディタアドインは、フラグが除去されている、全ての以前に書式設定された引用の書式設定をチェックする。
【００５６】
本発明の実施形態によれば、文書をスキャンするステップは、テキストまたはコマンドを入力する過程中にアイドル状態が同定されたときに行われる。ステップ２０８において、著者によって供給された引用用語が解析され、１つ以上の引用ライブラリにおいて実行される引用クエリを作成するために、引用の中に存在し得る引用用語および任意の用語デリミターを決定する。クエリの結果は、返信され、結果セット内に含有される記録の数を決定するために分析される。ステップ２１０において、完全な合致が引用クエリの範囲内に入るものとして同定されたか否かを決定するために、チェックが行われる。
【００５７】
ステップ２１０において、引用ライブラリのうちの１つに引用を同定する完全な合致が見出された場合、ステップ２１６において、引用を同定するフィールドコードが文書に挿入されて、結果セットの中の唯一の記録内に含有される引用データへの視認を提供する。しかしながら、結果セットが複数の記録を備える場合、ステップ２１２において、引用クエリの範囲内に入る引用の一覧を提示する表示が著者に提示される。入力デバイスを使用して、ステップ２１４において、著者は、文書中に現れることを希望する引用を選択する。ステップ２１６において、結果セットからの選択された記録内に含有される引用データへの視認を提供するために、引用を同定するフィールドコードが文書に挿入される。
【００５８】
ステップ２１８において、付加的な書式なし引用または修正された引用が文書中に存在するか否かを決定するために、チェックが行われる。書式設定を要求する付加的な引用が文書中に存在する場合、処理は、顕著な引用からの引用用語を備える引用クエリが定式化され、ステップ２１０、２１２、２１４、および２１６の通りに１つ以上の引用ライブラリに対して実行される、ステップ２０８に戻る。全ての引用が処理されると、ステップ２２０において、文書が更新され、それにより、フィールドコードが書式付き引用データを著者に提示する。本発明の実施形態によれば、定期的な間隔で、例えば、アイドル期間に遭遇したときに、ステップ２０６、２０８、２１０、２１２、２１４、２１６、および２１８で過程が繰り返される。
【００５９】
図２で提示される過程の動作を通した引用クエリの範囲内に入るものとして、引用ライブラリから読み出される引用を再検討するためのインターフェースの一実施形態が、図３に図示されている。引用クエリを形成する引用用語が著者に提示される検索用語フィールド３０２が提示される。このようにして、著者は、現在のクエリとの関連が提供される。本発明の実施形態によれば、著者は、ここで引用用語を修正し、引用ライブラリに対して修正された引用クエリを実行してもよい。検索用語の下側には、引用クエリの範囲内に入る引用記録を備える結果セット３０２が存在する。入力デバイスを使用して、著者は、引用データを再検討するために結果セットから引用を選択してもよい。
【００６０】
引用データ３０６は、インターフェースの下半分を占有するフレームの中に提示される。引用データは、参考文献の種類、著者、出版年、参考文献および出版物の出版物題名、ならびに他の様々な情報を含むが、それらに限定されない引用の基礎を形成する参考文献に関する詳細情報を備える。有利なことに、引用データは、参考文献の内容の概要または概説を提供する要約をさらに備えてもよい。この情報は、特定の参考文献が意図された引用源であるか否かを決定する際に著者にとって有用である。
【００６１】
本発明のソフトウェアによって現在分析されている曖昧な引用は、提供されたインターフェース制御のうちの１つの選択によって影響を受け得る。入力デバイスを使用して、著者は、文書に挿入するために、結果セット３０４の中の引用のうちの１つを選択してもよい。挿入制御３０８の選択は、選択された引用を文書に挿入する。代替として、著者は、現在の引用を無視すること３１０、または文書内に含有される書式なし引用の全てを無視すること３１２を選択してもよい。同様に、引用書式設定過程はキャンセルされてもよい３１４。本発明の動作に関して著者が持つことがある質問への回答を提供するヘルプシステム３１６へのアクセスを可能にする制御も提供される。
【００６２】
上記で説明されるように、著者は、他者が文書中の適正に書式設定された引用と連動することを可能にするために、文書内に埋め込まれたローカルデータベースの中の選択された引用データを編纂してもよい。移動ライブラリをエクスポートする過程が、図４に提示されている。入力デバイスを使用して、ステップ４０２において、著者は、エクスポート過程を実行する引用エディタアドインによって提供される制御を選択する。著者のコマンドに応答して、ステップ４０４において、ソフトウェアは、「移動ライブラリをエクスポートする」ダイアログボックスを提示する。ダイアログボックスによって提示されるインターフェースを使用して、著者は、エクスポートが行われる方式に関する選好を設定してもよい。
【００６３】
ステップ４０６において、著者が引用アプリケーションの中で新しい引用ライブラリを作成しているか、または既存のライブラリに追加しているかどうかを決定するように、チェックが行われる。ステップ４０６において、著者が引用アプリケーションの中の新しい引用ライブラリをエクスポートしようとしている場合、ステップ４０８において、フィールドコードが依然として文書内に含有されているかどうかを決定するように、チェックが行われる。著者がフィールドコードを除去し、それらをプレーンテキストと交換する場合、ソフトウェアは、エクスポート機能性を呼び出すことができず、ステップ４１６において、エクスポート動作が失敗したことを示すエラーメッセージが、著者に提示される。ソフトウェアが、引用を備える文書中でフィールドコードを検出することができる場合、ステップ４１２において、引用アプリケーションの中の引用ライブラリは、文書内に含有される全ての引用に対する引用データを備える。
【００６４】
ステップ４０６において、著者が引用アプリケーションの中の既存の引用ライブラリに引用データをエクスポートしようとしている場合、ステップ４１０において、フィールドコードが依然として文書内に含有されているか否かを決定するために、チェックが行われる。著者がフィールドコードを除去し、それらをプレーンテキストと交換する場合、ソフトウェアは、エクスポート機能性を呼び出すことができず、ステップ４１６において、エクスポート動作が失敗したことを示すエラーメッセージが著者に提示される。本発明の一実施形態によれば、本発明のソフトウェアによって提供されるグラフィカル制御の選択は、文書中のフィールドコードをフィールドコードがリンクするプレーンテキストと交換するよう動作する。代替として、フィールドコードは、著者によって手動で除去され、フィールドコードがリンクするプレーンテキストと交換され得る。
【００６５】
ソフトウェアが、引用を備える文書中においてフィールドコードを検出することができる場合、ステップ４１４において、付加的な選択された引用データが、文書に以前に埋め込まれた引用アプリケーションの中の引用ライブラリに追加される。著者が引用アプリケーションの中で新しい引用ライブラリを作成しているか、または既存のライブラリに追加しているか否かにかかわらず、動作によって行われたあらゆる変更を反映するためにソフトウェアが文書を更新するステップ４１８において、プログラムフローが統合される。
【００６６】
本明細書で提示されるソフトウェアおよび方法はまた、図５で図示されるように、文書に追加される引用から書式付き文献目録を自動的に生成するために使用され得る。文献目録生成過程の一実施形態は、ステップ５０２において、著者が、文献目録機能性を実行する引用エディタアドインによって提示される制御を選択するときに始まる。ステップ５０４において、著者は、文献目録が採用する出力形式に関する１つ以上の選好を定義する機会が提供される。例えば、文献目録選好は、フォントスタイル、サイズ、字下げ、文献目録の開始番号等を含むが、それらに限定されない。代替として、文献目録選好は、著者によって事前に設定され、ソフトウェアが、ステップ５０４においてデータファイルから定義された選好を単純に読み込む。
【００６７】
ソフトウェアは、ステップ５０６において、書式設定を待っている引用が存在するか否かを決定するために、文書をスキャンする。書式なし引用が文書中に存在する場合、ステップ５０８において、引用リストが著者に提示される。入力デバイスを使用して、著者は、ユーザによって供給される引用と関連付けられる適切な参考文献を選択する。プログラムフローは、別のチェックが書式なし引用について行われるステップ５０６に戻る。その過程は、全ての書式なし引用について繰り返される。代替として、図２で提示されるステップ２０８、２１０、２１２、２１４、および２１６と類似する過程が、ステップ５０８の過程の代わりに、文書内に含有される書式なし引用の各々について実行される。文書中の引用の全ては、適正に書式設定され、ステップ５１０において、ソフトウェアが引用を文献目録に挿入する。
【００６８】
新しい引用が供給されるか、または既存の引用が編集中であるとき、この過程は、文献目録の動的更新を提供するために容易に修正され得、それは、本発明の範囲内と見なされることが当業者にとって明白であるはずである。
【００６９】
加えて、著者は、図６の方法によって提示されるように、以前に文書に挿入され、書式設定されている選択された引用を編集し得る。著者は、ステップ６０２において、著者によって編集過程であると選択される引用編集過程による支援を供給するグラフィカル制御が、引用エディタによって提供される。引用エディタアドインは、共有ライブラリによって引用アプリケーションのネイティブ形式に変換される引用編集要求を引用アプリケーションに伝送する。要求に応答して、ステップ６０４において、引用アプリケーションは、引用アドインによる著者への提示のために、文書内に含有された全ての引用の一覧を作成する。入力デバイスを使用して、著者は、文書中の引用のうちの１つ以上に変更を供給してもよい。本発明の一実施形態によれば、図３で提示されるものと同様のインターフェースが供給され、それにより、著者は、以前に供給された引用用語に合致した全ての参考文献が提示され、１つ以上の選択された引用と関連付けられる引用用語を修正する機会が与えられる。引用編集を受信するために使用される方法にかかわらず、ステップ６０６において、編集は、記録のために共有ライブラリを介して引用アプリケーションに提出され、それはまた、ステップ６０８において、著者によって供給された編集を反映するように、文書中の引用リストおよびフィールドコードを修正することを含んでもよい。
【００７０】
本発明は、注記を文書に挿入する有益な機能性を提供し、そのような機能性を提供するための方法の一実施形態が、図７で提示されている。所与の機関誌、例えば、Ｓｃｉｅｎｃｅによって要求されるときに、ステップ７０２において、著者は、注記を挿入するために、引用エディタアドインによって提供されるグラフィカル制御を選択する。それに応じて、７０４において、注記挿入ダイアログボックスが著者に提示される。ステップ７０６において、著者は、注記のテキストを注記挿入ダイアログボックスの中へ提出し、完成したときに、グラフィカル提出制御を選択する。ステップ７０８において、文書は、文書中の注記を表示するように更新される。有利なことに、制御が供給され、またはパラメータが設定されてもよく、それを介して、著者は、注記が現れるべきである文書内の正確な位置を示してもよい。
【００７１】
以前に示されたように、著者が、１つ以上の遠隔ライブラリに加えて、またはそれに反して、ローカル引用ライブラリを使用することを選択してもよい。ローカル引用ライブラリに含有される参考文献を編集するための方法の一実施形態が、図８において提示されている。しかしながら、著者がローカル引用ライブラリに編集特権を持つと仮定されるので、図８の方法は、著者が編集特権を持つ遠隔引用ライブラリにも同様に適用可能であることに留意されたい。
【００７２】
参考文献を編集するために、ステップ８０２において、著者は、文書またはその一部を選択してもよい。文書の最低限の受理可能な部分は、個々の引用である。引用エディタアドインによって供給されるグラフィカル制御を使用して、ステップ８０４において、著者は、選択された参考文献を編集する制御を選択する。ステップ８０６において、選択された文書またはその一部分の中に存在する引用の各々について、引用データ、例えば、参考文献を備える情報がユーザに提示される。一実施形態によれば、データは、リスト形式で提示される。
【００７３】
グラフィカルインターフェースを使用して、ステップ８０８において、著者は、参考文献を選択し、必要な編集を行う。著者は、後に、複数の参考文献を編集してもよい。完成した編集は、著者が引用ライブラリに編集特権を持つ限り、ローカルまたは遠隔にあってもよい引用ライブラリに保存される。ステップ８１０において、文書は、基礎参考文献に行われた編集に基づいて、その中に含有される引用への変更を提示するように更新される。
【００７４】
図９を参照すると、著者がチャートまたは略図等の出版物からのグラフィックを文書に挿入することを可能にする過程が提示されている。引用エディタアドインによって提供されるグラフィカルインターフェースを使用して、ステップ９０２において、著者は、出版物からの図または略図を文書に挿入するグラフィカル制御を選択する。制御の選択に応答して、ステップ９０４において、引用エディタアドインは、図を挿入するダイアログボックスを提示する。ダイアログボックスを介して提示されるグラフィカル制御を使用して、著者は、所望の図に同定する１つ以上のパラメータを入力する。例えば、著者は、出版物、著者、記事の題名、出版日、または所望の図を一意的に同定し得る他のデータを供給してもよい。
【００７５】
著者によって供給される所望の図に関するデータを使用して、ステップ９０６において、所望の図について１つ以上の引用ライブラリを検索するために使用される図クエリが作成される。ステップ９０８において、図クエリの範囲内に入る引用データベース内に含有される図を備える結果セットが、ユーザに提示される。入力デバイスを使用して、著者は、提示された図のリストから、その適切な図を選択する。ステップ９１０において、選択された図は、文書に挿入され、著者に提示される。代替として、図パラメータが、一時的引用として供給され、図２に提示される過程に従って自動的に書式設定されてもよい。
【００７６】
図１０を参照すると、オーサリング、提出、および検証システム１００は、構造化された書式付き文書を準備するために、文書処理アプリケーション１１０４、例えば、ＥｎｄＮｏｔｅ  ＸＭＬ参照マークアップを使用したＥｎｄＮｏｔｅを含む。ソフトウェアアプリケーション１０４は、出版者への提出前に、文書に含有されたデータを同定し、タグ付けすることによって、Ｍｉｃｒｏｓｏｆｔ  Ｗｏｒｄ文書１１０２を書式設定するために使用される。例えば、文書は、限定ではなく例のみとして、ＧＭＬ、ＳＧＭＬ、またはＸＭＬに基づく過程を使用してマークされ、またはタグ付けされてもよい。例えば、ＧＭＬ、ＳＧＭＬ、またはＸＭＬベースのマークアップを使用して構造化された文書を準備するために、文書をマークするか、またはタグ付けすることによって、引用参考文献は、文書からより容易に抽出され、検証のために参考文献リストに含まれ得る。ＳＧＭＬ、Ｓｔａｎｄａｒｄ  Ｇｅｎｅｒａｌｉｚｅｄ  Ｍａｒｋｕｐ  Ｌａｎｇｕａｇｅは、コンテンツおよび構造で文書を表すために使用される汎用マークアップ言語である。ＳＧＭＬは、題名、段落、表、および章等の文書要素を明確に異なるオブジェクトとして同定し、ユーザが、文書中でデータを構造化するためのオブジェクト間で、文書型定義（ＤＴＤ）で定義される関係を定義することを可能にする。ＳＧＭＬは、ＳＧＭＬ文書要素および構造がデータベースの中のフィールド定義の集合と類似しているという点で、ＳＱＬ（リレーショナルデータベース管理システムを作成する、更新する、それに問い合わせるための標準言語）と比較されてもよい。ＳＧＭＬは、複数のプラットフォームを横断する任意のＳＧＭＬ「認識」アプリケーションによるアクセスおよび再利用を許可するために、ユーザが開放的に文書中で情報を構造化することを可能にする。いったんＳＧＭＬに変換されると、文書は、タグ付けされた情報を有し、開放的にＳＧＭＬ「認識」アプリケーションによって検索、印刷、および処理されてもよいデータベース様文書になる。ＳＧＭＬの簡易語であるＥｘｔｅｎｓｉｂｌｅ  Ｍａｒｋｕｐ  Ｌａｎｇｕａｇｅ（ＸＭＬ）は、文書を表すためのマークアップ言語であり、Ｗｏｒｌｄ  Ｗｉｄｅ  Ｗｅｂ（ＷＷＷ）上で使用するために好適である。ＸＭＬは、文書のコンテンツと埋め込み構造との間の関係と、アプリケーションおよびプラットフォームにわたって文書ベースの情報を共有する方法とを提供する。構造情報は、複数の構成要素、例えば、言葉および写真を有してもよく、コンテンツが表すもの、例えば、題名、節の見出し、脚注、巻末注、参考文献、キャプション、およびデータベース表に関する指示を含む。
【００７７】
本発明を踏まえて、構造化された文書が、アプリケーション１１０４の機能を使用して、特定の書誌形式に従って書式設定され得る。例えば、ＥｎｄＮｏｔｅ  Ｔｏｏｌ  Ｂａｒが、ＭＳ  Ｗｏｒｄの隠されたコードフィールドのＡＰＩ（アプリケーションプログラミングインターフェース）を引き出すように呼び出されてもよい。構造化されたＷｏｒｄ文書１０６は、データベース１１１０と通信しているワークフローシステム１１０８、例えば、Ｍａｎｕｓｃｒｉｐｔ  Ｃｅｎｔｒａｌにロードまたはアップロードされてもよい。システム１１０８は、特定の方法で書式設定されているものとして構造化された文書１１０６を認識するためのソフトウェア１１１２、例えば、ＥｎｄＮｏｔｅを含み、次いで、参照ＸＭＬ、例えば、ＥｎｄＮｏｔｅ  ＸＭＬ参照を使用してデータを解析するための手段を使用して、文書１１０６に含有される参考文献を引き出すか、または抽出してもよい。例えば、引用参考文献は、文書から解析され、検証のために参考文献リストに含まれてもよい。システム１１０８は、好ましくは、複数の書式を認識し、種々の書式で構造化された参考文献を抽出することが可能である。構造化されていない文書については、検証過程の前に、引用参考文献またはテキストの複数部分を同定し、抽出するように、手動動作またはソフトウェア支援動作が文書に適用されてもよい。いったん参考文献データが抽出されるか、または別様に比較のための状態に置かれると、１つ以上の外部データベース１１１４、例えば、ＷｏＳに含有される有効な参考文献データと、抽出された参考文献データを比較するために、１つ以上のデータベースリンク１１１６が確立される。データベース１１１４は、立証された信頼できる参考文献データを含有するオーソリティデータベースとしての機能を果たす。外部オーソリティデータベースへのリンクを確立するよりもむしろ、信頼できるデータベース、例えば、データベース１１１０が、ワークフローシステム１１０８のローカルに存在してもよい。
【００７８】
システム１１００は、構造化され、引用参考文献を同定するメタデータタグを有する文書から検証されるためにデータを解析する自動化過程を適用してもよい。「抽出」過程において、パーサが、好ましくは、アプリケーション１１０４によって文書をコード化または書式設定するために使用される１つ以上の書式設定構文、例えば、ＥｎｄＮｏｔｅ参照ＸＭＬを認識し、または有し、引用参考文献または他の関心のフィールドと関連付けられる文書中のフィールドを同定することが可能である。システム１１００は、文書源または書式設定源に適切なパーサまたはパーサ設定を選択する「構文解析」オプションを含んでもよい。また、機関誌または他の出版者は、特定の参考文献管理マークアップ方策を使用して事前書式設定された論文を提出するように、提出著者に要求してもよい。
【００７９】
ここで図１１を参照すると、概して１２００として参照される検証過程が、著者検証１２０２によって提出前に実行されてもよく、および／または出版者／エディタ検証１２０４によって提出後に実行されてもよい。著者検証過程１２０２では、初期再検討および検証が、原稿提出１２１０の前に著者によって実行される。著者検証１２０２の後には、プロダクションエディタまたは出版者提出後と関連付けられる他の関係者による、二次再検討および検証が続いてもよい。エディタ検証過程１２０４では、提出された文書は、プロダクションまたはコピーエディタによって再検討および検証される。理想的には、機関誌および他の出版者は、著者が、提出前に原稿の引用参考文献を本質的に検証することとして初期検証を行うことを好む。しかしながら、提出段階で引用参考文献をＸＭＬに構文解析することと関連付けられる費用および困難は、著者がこの追加負担を負うことを思いとどまらせる場合がある。加えて、出版者は、参考文献をマークアップするために植字機を使用するという実践を保有することを所望してもよい。しかしながら、より効果的な著者ツールが広く利用可能になり、使用されるにつれて、かつ作成、提出、および検証過程がより統合され、および／または開放的になるにつれて、自動化検証が提供しなければならない多くの利益が、従来の実践に勝り、取って代わる可能性が高い。
【００８０】
図１１を参照すると、以下の主要な構成要素は、著者検証システム１２０２を備える。参考文献管理モジュールまたはサービス１２０８、例えば、ＥｎｄＮｏｔｅが、提出１２０６の前に、タグ付けされた参考文献を有する構造化された文書を生産するために使用されてもよい。代替として、第三者ＸＭＬ生産ソフトウェアおよびサービスが、マークアップ過程を自動化するために使用されてもよい。使用されるＸＭＬ生産ソフトウェアおよびタグ付け形式に基づく抽出が、提出前に起こり、著者検証を可能にする。記事提出ブロック１２１０において、構造化されたか、またはされていない文書が、２つの方法のうちのいずれか一方で取り扱われてもよい。文書は、ブロック１２１８における査読および決定のために直接送られ、次いで、提出前著者検証なしで、生産ブロック１２２０において出版者に提出されてもよい。代替として、著者による自己検証のために、文書は、ＸＭＬデータ抽出ブロック１２１２によって処理されてもよい。引用参考文献データは、ＥｎｄＮｏｔｅ過程を使用して書式設定される文書に対するＥｎｄＮｏｔｅ参照ＸＭＬを含む、いくつかの異なる方法を使用して抽出されてもよい。また、ソフトウェアモジュールが、参考文献を同定し、それらをＸＭＬに抽出するように、文書を処理してもよい。１つの方式では、抽出された参考文献は、参考文献リストに編纂される。参考文献リストは、詳細な標準化ＸＭＬで保持されてもよい。参考文献リストをＸＭＬに入れることは、構造化された文書を生産するために使用されるマークアップ言語に依存し得る。以下の表１および２は、ＥｎｄＮｏｔｅ参照ＸＭＬを使用してマークアップされた言語からの抜粋を表す。表１は、マークアップがない抜粋テキストを示し、表２は、マークアップを伴う同じ抜粋テキストを示す。
【００８１】
【表１】
0005992404.tif 000002
【００８２】
【表２】
0005992404.tif 000003
【００８３】
好ましくは、ＸＭＬ抽出ブロック１２１２は、複数の書式でマークアップされた文書を認識して処理するために、および種々の参考文献管理ソフトウェアまたはＸＭＬ生産ソフトウェアからの文書に適応するように構成される。このようにして、システム１２００は、一連のクライアントの必要性の範囲を助長し、ワークフローの要素を放棄するようにクライアントに要求しない。ブロック１２１２から出力される抽出された参考文献データは、１つ以上のオーソリティデータベースへのオンラインアクセスを有し得るデータベースブロック１２１４上の参考文献検索においてオーソリティデータベースと比較され、次いで、比較の検証結果は、著者参考文献検証ブロック１２１６を介して、著者／ユーザに提示される。次いで、著者／ユーザは、結果を有する論文を出版者に提出することを含む、結果に基づく措置を講じてもよい。１つの目標は、高レベルの信頼が結果に置かれ、付加的な手動または自動検証が出版者によって要求されないように、有益な検証報告が出版者によって広く受け入れられる「承認証」に到達するように、出版業界内で検証過程を認識させることである。
【００８４】
検証結果は、引用参考文献データに対応する実際の論文を有するものとして検証された正しい参考文献の確認を含んでもよい。システムは、立証の表示を与え、どの参考文献が検証されているか、または検証されていないかを同定し、誤っているように思われる引用参考文献または文書中のデータまたはフィールドに下線を引き、間違ったデータの代用または訂正として密接に合致する参照データを提案することができる。システムはまた、結果ページを実際の確認された参考文献または提案された参考文献と直接リンクするように、例えば、引用参考文献と関連付けられるハイパーリンクを含むこともできる。システムはまた、引用参考文献データを改訂、編集、または訂正し、さらなる検証のために再提出する能力を著者に与えることもできる。本発明は、著者、引用、日付等を検証することに限定されず、引用参考文献、またはデータが比較され得る対応するオーソリティデータベースが存在する論文の中にさえも現れる任意の特徴を検証するために使用することができる。例えば、著者が、協会、例えば、ＩＥＥＥの「フェロー」または「メンバー」、あるいは学校の学部のメンバーであるか、または議長の地位にあると主張する場合、例えば、システム１２００がその協会または学部に対するメンバーシップデータのオーソリティデータベースにアクセスできる限り、論文または他の文書からの情報が抽出され、マークアップされ、または別様に扱われ得、データベースおよび検証されたデータと比較され得る。加えて、これらの過程は、論文が以前に発表されていないことを検証するために使用されてもよい。過程の一部として、ユーザは、検証過程が行われるデータベースのリストから選択することができ、またはシステムは、所定の一組の１つ以上のデータベースにデフォルト設定してもよい。本発明とともに使用するための例示的なデータベースは、公的参照データベース、例えば、ＣｒｏｓｓＲｅｆおよびＮａｔｉｏｎａｌ  Ｌｉｂｒａｒｙ  ｏｆ  Ｍｅｄｉｃｉｎｅ（ＮＬＭ）ＰｕｂＭｅｄ、商用データベース、例えば、ＩＳＩ  Ｗｅｂ  ｏｆ  Ｓｃｉｅｎｃｅ（ＷｏＳ）、ＩＳＩ  Ｗｅｂ  ｏｆ  Ｋｎｏｗｌｅｄｇｅ（ＷｏＫ）、およびＢＩＯＳＩＳ、ならびにＤｉａｌｏｇ、図書館Ｏｎｌｉｎｅ  Ｐｕｂｌｉｃ  Ａｃｃｅｓｓ  Ｃａｔａｌｏｇｕｅｓ（ＯＰＡＣｓ）、Ｍｅｄｌｉｎｅ、ＰｒｏＱｕｅｓｔ、Ｏｖｉｄ、Ｅｂｓｃｏ、およびＷｉｌｓｏｎＷｅｂ、およびに同等の参照データベースを含む、非公開の特殊データベースおよび他のデータベースを含む。
【００８５】
文書が著者によって自己検証されず、生産ブロック２２０を介してエディタ検証１２０４のために単に出版者に送られる場合、次いで、出版者は、提出された文書に含有される引用参考文献を検証し得る。ＸＭＬデータ抽出ブロック１２２２は、著者検証過程１２０２において、以前に説明された対応ブロック１２１２と本質的に同じように機能する。以前に論議されたＥｎｄＮｏｔｅ参考文献管理ソフトウェアおよび第三者ソフトウェアに加えて、出版者はしばしば、参考文献データを抽出するために植字機を使用する。このオプションは、ブロック１２２２に反映される。ブロック１２２２からの抽出された参考文献データは、ブロック１２１４について以前に説明されたように、データベースブロック１２２４上の参考文献検索でオーソリティデータベースと比較され、次いで、比較の検証結果は、エディタ参考文献検証ブロック１２２６を介して、エディタ／ユーザに提示される。代替として、論文は、参考文献のリストとともに提出されてもよく、またはリストは、論文とは別に提出されてもよく、リストは、検証のために処理されてもよい。上記の比較結果および動作の説明に加えて、出版者／エディタは、フォローアップ、例えば、訂正またはさらなる立証のために、結果のうちのいくつかまたは全てを、著者または別の人に返信してもよい。
【００８６】
好ましくは、検証に使用される参照データベースは、ローカルであり、または著者検証１２０２およびエディタ検証１２０４過程が、それらの上で検索することを可能にするように、インターネットまたは他の通信ネットワークを介して利用可能である。例えば、平均６０〜８０件の参考文献／記事×１，８００件の記事／日を使用することは、約１００，０００から１５０，０００件の要求／日をもたらすにので、トラフィック要件が重要となる可能性が高い。ユーザインターフェース（ＵＩ）は、参考文献合致を再検討し、どの合致が正しく、どれが正しくないかを示すという検証タスクを支援する。ＵＩの２つの例示的なバージョンは、著者ＵＩおよびエディタＵＩである。著者提出前過程１２０６、参考文献管理過程１２０８、または著者検証過程１２０２の一部として、あるいはエディタ検証過程１２０４の一部として、最終論文または文献目録に埋め込まれた相互出版者／データベースリンキングを提供または確認するために、メタデータ、タグ付け、またはリンク、例えば、ＤＯＩ（デジタルオブジェクト同定子）またはＵＲＬが、挿入または検証されてもよい。検証過程と関連付けられる他の要素は、データベースからの参考文献回収のための検索論理を含む。
【００８７】
ここで図１２を参照すると、提出および検証過程１３００の別の描写が示されており、この図において、ブロック１３０２は、参考文献がＸＭＬに抽出されるブロック１３０４へと入力され、そこにおいて、処理される出版前の「未加工」参考文献リストを表す。参考文献リストがＸＭＬに抽出された後に、参考文献は、ブロック１３０６において、１つ以上のオーソリティデータベース、例えば、ＷｏＳ、ＷｏＫ、ＰｕｂＭｅｄ、ＯＰＡＣｓ、およびＣｒｏｓｓＲｅｆと比較される。次に、参考文献比較の結果は、ブロック１３０８において表されるように、さらなる検証のために提示される。著者／エディタによる最終検証後に、検証された参考文献またはＸＭＬでの参考文献のリストは、ブロック１３１０において、記事／原稿メタデータに含まれる。この時点で、文書は、（著者が検証した場合）出版者への提出の準備ができている、または（エディタが検証した場合）出版の準備ができている。
【００８８】
ブロック１３０４に関して、参考文献または参考文献リストは、１つ以上の参考文献管理モジュール、構造化された書式、または利用されるサービスと一致するＸＭＬに抽出され得る。例えば、ＥｎｄＮｏｔｅを使用して作成された論文および参考文献リストは、ＥｎｄＮｏｔｅデータ抽出１３１２に依存する。代替として、第三者ＸＭＬ生産ソフトウェアおよびサービスが、ＸＭＬタグ付け１３１４に使用されてもよい。出版者に関して、第三者植字機が、ブロック１３１６に表されるように、引用参考文献データをＸＭＬ構造化書式に変換するために使用されてもよい。
【００８９】
ブロック１３０４からの抽出された参考文献データは、データベースブロック１３０６上の参考文献検索で１つ以上のオーソリティデータベースと比較される。検証に使用される参照データベースは、ローカルであってもよく、あるいは本明細書の他の場所で説明されるようにインターネットまたは他の通信ネットワークを介して利用可能であってもよい。本発明とともに使用するための例示的なデータベースは、公的参照データベース１３１８、例えば、ＣｒｏｓｓＲｅｆおよびＰｕｂＭｅｄ、商用参照データベース１３２０、例えば、Ｗｅｂ  ｏｆ  Ｓｃｉｅｎｃｅ（ＷｏＳ）、Ｗｅｂ  ｏｆ  Ｋｎｏｗｌｅｄｇｅ（ＷｏＫ）、およびＢＩＯＳＹＳ、ならびに非公開の特殊データベース３２２を含む。他の例示的なデータベースは、Ｍｅｄｌｉｎｅ、ＰｒｏＱｕｅｓｔ、Ｏｖｉｄ、Ｅｂｓｃｏ、およびＷｉｌｓｏｎＷｅｂを含む。
【００９０】
参考文献検証ブロック１３０８に関して、比較ブロック１３０６の検証結果は、調査のため、および／または結果に基づいて措置を講じるために、著者／エディタ／ユーザに提示される。上記で説明され、一般的に知られているようなユーザインターフェースが、著者検証ツール１３２４および／またはエディタ検証ツール１３２６の一部として使用されてもよい。著者動作は、結果を有する論文を出版者に提出することを含んでもよい。エディタ動作は、出版のために論文を承認すること、あるいは訂正または説明のために結果を著者に返すことを含んでもよい。動作はまた、引用参考文献データに対応する実際に出版された論文を有するものとして検証された、正しい参考文献の確認を含んでもよい。
【００９１】
参考文献検証１３０８の後に、検証された参考文献またはＸＭＬにおける参考文献のリストは、ブロック１３１０において、記事／原稿メタデータに含まれてもよい。著者検証に関して、タグ付けされたＸＭＬ参考文献を有する記事／原稿は、出版者による品質保証のため等、受理またはさらなる検証のために出版者に提出されてもよい。エディタ／出版者検証に関して、タグ付けされた参考文献を有する記事は、少なくとも、論文中で引用されている検証された一組の参考文献を有することに関して、承認および出版の準備ができている。
【００９２】
図１３を参照すると、本発明を使用する参考文献検証過程の１つの例示的実施形態を図示する二重経路フローチャートが提供されている。示されるように、参考文献検証過程１４００は、出版者への提出前の参考文献検証のために、例えば、ＥｎｄＮｏｔｅを使用して構造化された原稿を、中央サービス、例えば、Ｍａｎｕｓｃｒｉｐｔ  Ｃｅｎｔｒａｌにアップロードし得る著者によって４０２において開始されてもよい。代替として、出版者は、提出後、および出版前の生産段階における１４０４で過程を開始してもよい。論文の情報源および参考文献検証を行うエンティティを対象とする１４０２および１４０４の初期ステップ以外の残りのステップは、両方の経路について本質的に同じである。著者が初期検証を行ったか否かに応じて、プロセッサは、認識された構造化書式、例えば、ＥｎｄＮｏｔｅにおいて、論文または参考文献リストを提出し、または抽出条件では、ステップのうちのいくつかは、エディタにとって必要ではなくてもよい。
【００９３】
ステップ１４０６において、好ましくは、既知の認識された書式構造に基づいて、参考文献または参考文献リストが文書からＸＭＬに抽出される。ステップ１４０８において、各抽出された参考文献が、機関誌構成データベース等の一組の１つ以上の外部データベースに対して検証される。ステップ１４１０において、検証結果が著者および／またはエディタに提示され、ステップ１４１２において、高い類似性合致を有する参考文献を含み得、ステップ１４１４において、複数の、または低い類似性合致の参考文献が著者またはエディタによる確認のために提示される。ステップ１４１６において、著者立証／選択の結果が、ＸＭＬ参照セットに戻される。
【００９４】
図１４を参照すると、概して参照番号１５００で参照されるコンテンツ管理システム（ＣＭＳ）の１つの例示的実施形態は、著者曖昧性排除システムとも呼ばれる「特異的著者同定システム」（ＤＡＩＳ）１５０２、情報源１５０７、例えば、データベース１５１０、１５１２、および１５１４、ソフトウェアおよびプロセッサ駆動型ユーザ製品一組１５１８、複数の遠隔ユーザまたはクライアント１５２４、および種々の通信リンクを含む。ＣＭＳは、論文または他の出版物等の項目と関連付けられる特定の属性によって、ユーザがこれらの項目を検索し、同定し、アクセスすることを可能にする。例えば、一般的なユーザ検索は、しばしば、著者名に基づき、著者のラストネーム、ならびにおそらくファーストおよびミドルネームのイニシャルを含むだけである。この省略された一意的ではない著者情報は、情報源またはデータベースに含有される全著者名から著者を一意的に同定することはない。ＤＡＩＳ  １５０２の目的は、とりわけ、明確に異なる著者を同定する、著者識別（ｉｄ）を著者に割り当てる、および著作を著者ＩＤでタグ付けしてユーザ１５２４によるそのような検索を容易にするために、情報源１５０７に記憶された記録の曖昧性を排除することである。
【００９５】
図１４のこの例示的実施形態では、検索に利用可能な情報源は、ＷｏＳデータベース１５１０、ＷｏＫデータベース１５１２、ならびに、例えば、ＯＰＡＣ、ＣｒｏｓｓＲｅｆ、およびＰｕｂＭｅｄデータベース、および本明細書で記述される他のデータベース等の他の関心のデータベース１５１４への一般参照を含む。ＤＡＩＳ  １５０２は、通信リンク１５１６を介して記憶部５０７と通信し、そのようなデータベースの全てまたは複数部分のインスタンスを捕捉して、曖昧性排除過程に使用する。ＤＡＩＳ  １５０２は、正確な関係リンクおよびクラスタに到達して、適正に著者エンティティと関連するように、そのようなデータベースに記憶された記録に対して、概して参照番号１５０４によって参照されるＤＡＩＳ規則および過程を適用する。
【００９６】
本発明に対する限定としてではなく、全体的な過程を説明する目的で、ＷｏＳ  ＤＢ  １５１０は、例えば、それらと関連付けられる科学論文および引用を含む数年分のデータに及ぶＸＭＬデータベースである。ＤＡＩＳ  １５０２によって使用されるＷｏＳ  ＤＢインスタンスは、ＷｏＳ顧客によって使用され得、独立した不変の研究、試験、または種々の特殊処理のために保持されるＷｏＳ  ＤＢ  １５１０から分離している。このデータベースの中には２つの主要な単位記録がある。それらは、＜ｉｔｅｍ＞（源項目）および＜ｒｅｆ＞（参照項目）である。
【００９７】
いったんＤＡＩＳ  ５０２が、情報源１５０７からのデータベースインスタンスに対して、かつそれら全体に、その過程１５０４を適用すると、そのようなデータベースに記憶された情報の完全性を向上させる方法として、およびユーザによる後続の使用のために、そのようなデータベース１５１０、１５１２、および１５１４上に、曖昧性が排除された記録およびデータをロードし得る。例えば、遠隔ユーザ１５２４および他のユーザ等のユーザは、科学および研究業務を実行する際に、およびこれらの活動と関連付けられる研究を著作する際に、Ｔｈｏｍｓｏｎ  ＳｃｉｅｎｔｉｆｉｃのＲｅｓｅａｒｃｈＳｏｆｔパッケージソフト等の生産性ソリューション１５１８を呼び出し得る。これらの生産性ツールは、デスクトップベース、ネットワークベース、またはそれらの組み合わせであってもよく、出版のための原稿を作成する過程に関与してもよい。例えば、ユーザは、例えば、情報源５０７と比較することによって検証され得るＸＭＬ参照を使用して、構造化された文書を生成するために、ＥｎｄＮｏｔｅおよび他の生産性ツールを使用し得る。また、そのような生産性ツールは、機関の業務を行う際に、例えば、再検討されている学部メンバーによって著作された論文に含有される引用参考文献の妥当性をチェックすることを含む、在職の候補になっている検討中の学部研究を再検討する際に、学部および大学管理者の管理者によって使用されてもよい。研究者は、自身の研究、自分の研究に基づく研究、参照された研究、および特定の研究分野における関心の研究の個人参考文献収集１５２８を保持してもよい。
【００９８】
種々の実施形態において本明細書で説明されるような本発明は、以下の特徴のうちの１つ以上を提供する。引用を見出し、挿入することであって、これは、参考文献ライブラリから参考文献を検索し、それらを文書に挿入するユーザインターフェースを提供する。引用を書式設定することであって、これは、文書の挿入された参考文献を書式設定することにより、インテキスト引用、および特定の組の規則に従って書式設定された文献目録の両方を提供する。一時的引用についてスキャンすること（「即時書式設定」）であって、これは、バックグラウンドスキャンを提供し、一時的引用（特定構文を使用して表現される）を検出して解析し、それらを参考文献ライブラリにおいて調べ、合致する参考文献を挿入して書式設定する。移動ライブラリであって、これは、文書内のフィールドコードとして参考文献データを記憶し、外部ライブラリの中で参考文献を移す必要なく、さらなる書式設定を可能にする。これらの参考文献はまた、新しい参考文献ライブラリにエクスポートすることもできる。書式設定選好であって、これは、ユーザがＣＷＹＷ挙動をカスタマイズすることを可能にするユーザインターフェースを提供する。ローカル対オンライン参考文献ライブラリであって、それを用いて、ユーザのマシン上のライブラリにおいて、あるいはネットワーク上またはインターネット上でホストされたデータベースにおいて、参考文献を調べることができる。曖昧な引用を解決することであって、これは、ユーザが、検索クエリまたは一時的引用に合致する２つ以上の参考文献の中から選択することを可能にするユーザインターフェースを提供する。引用を編集することであって、これは、書式付き外観を微調整、または参考文献データを更新するために、引用を編集する機構を提供する。注記を挿入することであって、これは、注記を文書に挿入するための機構を提供する。図を挿入することであって、これは、図およびキャプションを文書に挿入するための機構を提供する。出力形式であって、これは、書式設定ツールによって使用することができる個別ファイル内に各一組の書式設定規則（例えば、個々の出版物または専門組織と関連付けられる）を封入するための機構を提供する。フィールドコードを除去すること、これは、文書から全ての支援データ（フィールドコードに記憶された参考文献データ等）を除去し、書式付き参考文献および著者の文書コンテンツのみを残す機構を提供する。
【００９９】
なおもさらに、種々の実施形態における本発明は、以下の一組の特徴を提供し得る。ソースアプリケーションまたは参考文献ライブラリ切替であって、これは、２つ以上の同一の参考文献ライブラリ（例えば、ローカルデスクトップ上の１つ、およびウェブ上の１つ）のうちのいずれかからの引用を挿入し、書式設定する機構を提供する。これは、ユーザが、同一の参考文献ライブラリを、デスクトップデータベースの中およびウェブ上に記憶し、いずれか一方の場所からの文書に参考文献を挿入することを可能にする。この機構は、いずれか一方のソースアプリケーションからの引用をシームレスに書式設定して更新するというさらなる利点を有する。Ｍｉｃｒｏｓｏｆｔ  Ｗｏｒｄ引用インポートであって、これは、内蔵ワードプロセッサ機能性、例えば、Ｍｉｃｒｏｓｏｆｔ  Ｗｏｒｄ  ２００７以降によって文書に挿入されたＸＭＬ引用データを含む引用データを取り入れるか、およびこれを文書中データ形式に変換する機構を提供する。、セクション文献目録であって、これは、文書内のセクションマーカーを同定するか、および文書の終わりに完全な文献目録を伴って、または伴わずに、各セクションの終わりに別個の文献目録を作成する機構を提供する。複合引用であって、これは、文献目録の中の１つの記入事項としてともにグループ化され、所与の一組の書誌書式設定規則によって特定されるような特定の英数字ラベルによって個別に区別される、１つの複合引用として、参考文献のグループを扱うための機構を提供する。、引用から文献目録へのリンクであって、これは、この目的でハイパーリンクとして扱われ得るインテキスト引用、例えば、文書の本文中の引用をクリックすることによって、文献目録の中の記入事項へナビゲートするための機構を提供する。ソース参考文献管理アプリケーション内で、文書において使用されている参考文献の組織的グループ化を自動的に作成する機構を提供する、ソース参考文献管理アプリケーションにおいて組織的なグループを生成することであって、そのグループ化は、参考文献が文書に挿入されるか、または文書から削除される際に自動的に更新される。複数のライブラリからの参考文献を管理することであって、これは、複数の参考文献ライブラリから文書の中に参考文献を挿入することを可能にして支援する機構を提供し、各参考文献のソースライブラリを示し、ユーザがそのソースライブラリからの個々の参考文献を更新すること、または参考文献を別のライブラリからのバージョンと交換することを可能にするユーザインターフェースを提供する。インテキスト引用書式の間の高速切替であって、これは、文書が再書式設定されることを要求することなく、個別インテキスト引用のための２つ以上の利用可能な書式を迅速に切り替えるための機構である。
【０１００】
より具体的には、本発明は、強化された「記述中に引用する」オーサリングツール機能性を提供する。例えば、システムは、インテキスト引用と文献目録との間の自動ハイパーリンキングを提供する。ユーザは、インテキスト引用が文献目録の中の参考文献にリンクされるための能力を追加できるようになる。これは、執筆および編集している間に、引用と文献目録との間で容易にナビゲートする能力をユーザに与える。多くの出版者は、出版マークアップ中に文書の中へリンクを追加する。著者には、執筆および再検討過程中に、そのようなツールが欠けている。この特徴は、この過程を統合し、著者およびエディタの両方の利益になり、文書の複数部分間におけるはるかに容易な対応を可能にする。この特徴はまた、報告書、研究ノート等のあまり形式的ではない文書にも有用となる。これは、ユーザがインテキスト引用から対応する文献目録記入事項へ直接クリックする能力（ｃｔｒｌ＋Ｃｌｉｃｋ）を有効にする。１つの方式では、この特徴は、「ＰＤＦとして保存する」ためのＷｏｒｄ  ２００７のネイティブサポート、および公式ＭｉｃｒｏｓｏｆｔプラグインであるＡｄｏｂｅ  Ａｃｒｏｂａｔ  Ｐｒｏ（バージョン８、９、および１０）、Ｍａｃｉｎｔｏｓｈ情報内蔵ＯＳ  ＰＤＦ保存機能、Ｍａｃ用Ａｄｏｂｅ  Ｐｒｏ、読み込み用の内蔵「プレビュー」アプリケーションを使用することによって、Ｗｏｒｄ文書がＰＤＦに変換されたときに適用される。
【０１０１】
複数の文献目録がある場合に、作業中のセクションの中での引用の出現のみに引用リンクを有することが適切である。例えば、各章の終わりおよび文書の終わりに、文書中に複数の文献目録がある場合、インテキスト引用が、セクション／章の終わりの参考文献にリンクされる。グループ化引用については、各著者／日付または番号付き引用が、それぞれの明確に異なる文献目録記入事項にリンクするべきである。
【０１０２】
番号付き範囲については、リンクは、範囲内の第１の参考文献につながる。グループ化された引用については、各著者、日付、または番号付き引用が、それぞれの明確に異なる文献目録記入事項にリンクするべきである。複合物については、リンクは、主要番号につながる。図１５を参照すると、ユーザインターフェースとしての機能を果たすダイアログ画面が、選択されたタブ「文献目録を書式設定する」とともに示されている。このダイアログについては、ユーザは、この実施例では、書式設定文書、および所望の出力形式、例えば、注釈付き、Ｃｈｉｃａｇｏ等を選択することができる。ユーザは、書式設定文献目録ダイアログの中で、ハイパーリンキングを選択するか、または「オンにする」ことができる。付加的なオプションは、インテキスト引用に下線が引かれ、文献目録に現れると引用全体を表示するためにテキストをホバーする（ｈｏｖｅｒ）ことである。デフォルト設定において、インテキスト引用をリンクする特徴はオンであり、下線を引くことがオンにされている。インテキスト引用をリンクすることが選択されていない場合、下線を引くオプションは利用可能ではない。引用デリミターが選択されてもよく、ハイパーリンクの書式設定は、例えば、ハイパーリンクされたテキストが色付きまたは下線付きになるべきかどうかをユーザが決定することができる選好設定にあってもよい。設定は、文書毎の基準であってもよく、またはグループ毎であってもよい。例示的な一組の選好が、図１５の書式設定文献目録ダイアログに表示されている。図１７は、著者／日付形式でのグループ化引用の実施例を示す。
【０１０３】
図１６を参照すると、番号付き引用については、番号（例えば、ハイライトされた＃１４）は、文献目録の中の引用（Ａｒｇｕｓ，１９９１）にリンクする。番号付き範囲については、範囲内の第１の参考文献をリンクする。よって、範囲が「ｘ−ｙ」である場合、ｘ−ｙがリンクされ、リンクは参考文献ｘに行く。例えば、「１９８７３−６および１９８９１，７に行われたＢｅｒｋｅｌｅｙの研究によって示されるように・・・」といったインテキスト引用については、１９８７３−６というインテキスト引用は、文献目録の中の第３の参考文献にリンクする。１９８９１，７の注記について、「１」は、第１の参考文献にリンクし、「７」は、文献目録の中の第７の参考文献にリンクする。複合の参考文献については、リンクは主要番号に行く。例えば、（１ａ，１ｂ）は、文献目録の中の「１」によって参照される複合引用にリンクする。さらに、（３ａ，３ｂ，７ｃ−ｅ）は、２つのリンクを有し、第１のリンクは、文献目録の中の「３」によって参照される複合引用にリンクし、第２のリンクは、文献目録の中の「７」によって参照される複合引用にリンクする。
【０１０４】
文書、例えば、ＭＳ  Ｗｏｒｄ文書において使用されるか、またはそれに含まれる参考文献を操作することにおいてユーザを支援するために、付加的な機能が含まれ得、この実施形態は、ユーザが現在使用している参考文献の「スナップショット」をユーザに提供する。これは、ユーザのライブラリおよび／またはユーザの移動ライブラリの中の他の参考文献に対して、どの参考文献をユーザが使用しているかを確認することを可能にする。所与の文書からの引用（およびそれらが使用された回数の総数）の読みやすい報告書を作成するために、付加的な機能が、例えば、ＥｎｄＮｏｔｅオーサリングツールに追加されてもよい。
【０１０５】
文書に含まれる参考文献の読みやすい生の報告書またはリストをユーザに提供するために、付加的な機能が含まれてもよい。例えば、ユーザ体験を強化するために、ＵＩが、例えば、ＯｐｅｎＯｆｆｉｃｅに含まれてもよい。文書は、書式設定され、再書式設定に基づいて更新されるはずである。機能は、好ましくは、どのライブラリに参考文献が由来するかを示し、好ましくは、オーサリングアプリケーション、例えば、ＥｎｄＮｏｔｅの中のソース参考文献に直接リンクする能力、およびワードプロセッサの中の参考文献の最初の出現にリンクする能力を含む。報告書は、参考文献が文書中で使用される回数を含んでもよい。ユーザが報告書に直接進むことを可能にするために、例えば、「巻末注へ進む」ボタンといった同様の機能が提供されてもよい。リスト表示は、好ましくは、文書中の全ての参考文献を含み、開放型ライブラリにおいて見出される参考文献のみを示すために、「スマートグループ」が提供されてもよい。自動グループは、好ましくは、関連Ｗｏｒｄ文書を閉じるときに除去される。複数のＷｏｒｄ文書と関連付けられる複数の自動グループが、例えば、グループ限度（例えば、５００）までサポートされる。
【０１０６】
「Ｄｏｃｕｍｅｎｔ  Ｔｉｔｌｅ：ＤｏｃｕｍｅｎｔＴｉｔｌｅ．ｄｏｃ」といった、ファイル拡張子を含む参考文献報告書を追加するように、付加的な機能が含まれてもよい。この機能は、所与のＷｏｒｄ文書で使用された参考文献の明確かつ単純なリストをユーザに提供する。例えば、ＥｎｄＮｏｔｅでは、ユーザは、「Ｗｏｒｄ文書で使用された参考文献」の自動グループを作成してもよい。文書自動グループは、オーサリングツールアプリケーション、例えば、ＥｎｄＮｏｔｅに応じて、セッションベースであってもよい。
【０１０７】
１つの例示的なワークフローは以下の通りである。ＷｏｒｄおよびＥｎｄＮｏｔｅを使用して論文を書き、２つのアプリケーションの間で前後にナビゲートする１人のユーザは、現在の論文のみに挿入された参考文献の迅速かつ単純なリストを見る必要がある。このユーザは、また、リスト表示の中のより詳細な情報、例えば、参考文献が使用された回数を知る必要がある。ユーザは、また、これらの参考文献を編集／修正する必要がさらにあるであろうし、これらの参考文献が基本的なリスト表示からこれらの編集特徴に容易にアクセスすることが便利であろう。この編集の大部分はＷｏｒｄで行われるが、ユーザは、ＥｎｄＮｏｔｅの中のいくつかの項目も編集する必要があるであろう。
【０１０８】
別の例示的なワークフローは以下の通りである。ユーザは、ＷｏｒｄおよびＥｎｄＮｏｔｅを使用して、共通文書上の別の著者（共著者）と協力している。著者は、共通文書を前後に移動させ、両者が、各著者のそれぞれのライブラリから、ＥｎｄＮｏｔｅからの参考文献を挿入する。これは、たとえ両者の参考文献の大部分が共通していても、そのようであり得る。共通文書の中のいくつかの場所において、両者は、それぞれのライブラリから同じ参考文献を追加している。最終編集のために、ユーザは、自分と共著者とが挿入した参考文献の全てを二重にチェックし、それらがユーザの「マスタ」ライブラリの中にあるものと合致することを確認するかもしれない。最終編集の大部分はＷｏｒｄにおいて行われ得るが、ユーザはおそらく、オーサリングアプリケーション、例えば、ＥｎｄＮｏｔｅの中のいくつかの項目も編集する必要がある。著者が多くの編集を処理しているので、ユーザはおそらく、著者が本来使用したかった全ての参考文献が最終論文中にあることを確認する必要がある。ワークフローで使用される移動ライブラリ機能は、各著者のそれぞれのライブラリの中の別様に同一の参考文献とは異なる参考文献の記録番号を含んでもよい。機能は、参考文献の情報源（特定のライブラリ名または移動ライブラリ）を知る能力、および文書全体を検索する必要なく著者ライブラリから記録を容易に代用する能力をユーザに付与する。
【０１０９】
図１８を参照すると、「記述中に引用する（Ｃｉｔｅ  Ｗｈｉｌｅ  Ｙｏｕ  Ｗｒｉｔｅ）」アプリケーションが、本明細書で説明される著者参照追跡機能を統合する「引用を編集および管理する（Ｅｄｉｔ  ＆  Ｍａｎａｇｅ  Ｃｉｔａｔｉｏｎｓ）」ダイアログ／ＵＩ画面１８００を提供する。「引用を編集および管理する」機能は、引用１８０５を備える引用グループ１８０４を含む参考文献情報領域１８０２を有する主要な表と、参考文献を編集するボタン１８０８および結果として生じるプルダウン一覧１８１０とを伴って配備される。ユーザが参考文献１８０５をクリックすると、バックグラウンド文書は、その参考文献へ進む。これは、インテキストコンテキストを提供する。多くの参考文献がある場合、パネルはスクロールバーを有する。表１８０２は、以下で説明されるような４つの列を有する。「引用（Ｃｉｔａｔｉｏｎ）」は、＜第１の著者のラストネーム＞、＜年＞、＜記録番号＞といった形式で、引用／参考文献１８０５の表記を表示する。参考文献１８０５は、第１の引用１８０５の第１の著者別にソートされたグループ引用１８０４を伴って、デフォルトではアルファベット順である。グループ引用１８０４の中の全ての参考文献１８０５が、グループ引用の下に記載されている。グループ引用の下の各引用は、上下の矢印ボタンが前に付いてもよい。記載された第１の引用は、上の矢印ボタンの非アクティブバージョンを有する。最後に記載の引用は、下の矢印ボタンの非アクティブバージョンを有する。上下の矢印ボタンは、グループ引用のうちの引用の間で引用の順番を変更する。代替として、表１８０２は、総数別に引用をソートしてもよく、グループ化引用は表示されなくてもよい。「総（Ｃｏｕｎｔ）」は、各参考文献１８０５が文書中で引用される回数を表す。「ライブラリ（Ｌｉｂｒａｒｙ）」は、参考文献１８０５の最後の書式設定に使用されたライブラリの名前である。「参考文献を編集する（Ｅｄｉｔ  Ｒｅｆｅｒｅｎｃｅ）」ボタン１８０８の本文部分を選択すると、基礎オーサリングアプリケーション（例えば、ＥｎｄＮｏｔｅ）を参考文献ウィンドウの中の記録にリンクする。「参考文献を編集する」ボタン１８０８の下の矢印部分を選択またはクリックすると、ライブラリ参照を編集する、引用を除去する、引用を挿入する、およびマイライブラリから更新するオプションを含む、オプションのリストを提供する。
【０１１０】
「ライブラリ参照を編集する（Ｅｄｉｔ  Ｌｉｂｒａｒｙ  Ｒｅｆｅｒｅｎｃｅ）」オプションは、ボタン１８０８の主要部と同様に機能する。「ライブラリ参照を編集する」は、ライブラリが移動ライブラリではない、引用のみに利用可能とされ得る。「引用を除去する（Ｒｅｍｏｖｅ  Ｃｉｔａｔｉｏｎ）」オプションは、引用のリストからハイライトされた引用を除去する。「引用を挿入する（Ｉｎｓｅｒｔ  Ｃｉｔａｔｉｏｎ）」オプションは、「引用を見つける（Ｆｉｎｄ  Ｃｉｔａｔｉｏｎｓ）」ダイアログを表示し、同じ一組のデリミター内に引用を追加する。引用を編集および管理するダイアログおよびＷｏｒｄ文書は、新しい引用によって更新される。「マイライブラリから更新する（Ｕｐｄａｔｅ  ｆｒｏｍ  Ｍｙ  Ｌｉｂｒａｒｙ）」オプションは、ユーザの参考文献のライブラリを更新する働きをする。
【０１１１】
引用を編集および管理するダイアログ／ＵＩ画面１８００は、下部パネル１８０４を含む。「引用を編集する（Ｅｄｉｔ  Ｃｉｔａｔｉｏｎ）」タブ１８１２は、上記で論議された引用を編集するダイアログに含まれる、同様の書式設定特徴を含有する。ハイライトされた引用から著者名を省略するために、「著者を排除する（Ｅｘｃｌｕｄｅ  Ａｕｔｈｏｒ）」ボックスが選択され得る。ハイライトされた引用から年を省略するために、「年を排除する（Ｅｘｃｌｕｄｅ  Ｙｅａｒ）」ボックスが選択され得る。「接頭辞（Ｐｒｅｆｉｘ）」フィールドは、引用テキストの直前にテキストの入力が印刷されることを可能にする（スペースが重要である）。「接尾辞」フィールドは、引用テキストの直後にテキストの入力が印刷されることを可能にする（スペースが重要である）。
【０１１２】
ユーザは、常に同じ句読点を用いて、引用後にページ番号を常に印刷することを所望する場合に、フィールドの中にページ番号を入力してもよい。そうでなければ、「ページ（Ｐａｇｅｓ）」フィールドが、引用の一部として印刷されるページ番号を入力するために使用される。表示および印刷するために、引用ページフィールドが、自分の出力形式の引用テンプレートまたは脚注テンプレートに記載されなければならない。ここにページ番号を入れることは、各出力形式について、ページ番号の配置および引用の中のそれらの周辺句読点の両方を変更することを可能にする。「参考文献（Ｒｅｆｅｒｅｎｃｅ）」タブは、タグ付き書式で、選択された参考文献のデータを上パネルの中に表示する。「ツール（Ｔｏｏｌｓ）」ボタン１８１４は、移動ライブラリをエクスポートする（Ｅｘｐｏｒｔ  Ｔｒａｖｅｌｉｎｇ  Ｌｉｂｒａｒｙ）、引用および文献目録を更新する（Ｕｐｄａｔｅ  Ｃｉｔａｔｉｏｎｓ  ａｎｄ  Ｂｉｂｌｉｏｇｒａｐｈｙ）、および文献目録を書式設定する（Ｆｏｒｍａｔ  Ｂｉｂｌｉｏｇｒａｐｈｙ）といった、３つの機能を提供する。「引用および文献目録を更新する」オプションは、文献目録を初めて書式設定するか、または文献目録を再書式設定する。「文献目録を書式設定する」オプションは、例えば、図１５の文献目録を書式設定するダイアログを提示する。
【０１１３】
図２１を参照すると、「移動ライブラリをエクスポートする（Ｅｘｐｏｒｔ  Ｔｒａｖｅｌｉｎｇ  Ｌｉｂｒａｒｙ）」オプションは、ユーザが、宛先ライブラリ、例えば、「Ｓａｍｐｌｅ＿Ｌｉｂｒａｒｙ＿Ｘ３」を選択する、移動ライブラリをエクスポートするダイアログを開く。参考文献は、（示されるような）既存の開放型ライブラリまたは新しいライブラリにインポートされてもよい。ユーザが既存のライブラリを選択した場合、重複選好に基づいて、重複参考文献が破棄される。下部パネル１８０４はまた、引用グループ、インテキスト引用、および文献目録の中の参考文献の数を表して表示する「合計（Ｔｏｔａｌｓ）」領域も含む。
【０１１４】
図２２を参照すると、Ｗｏｒｄ文書が作成されるときに自動グループが作成される。文書名が、自動グループの名前として使用される。文書を閉じると、自動グループが除去される。文書を再書式設定すると、自動グループが更新される。自動グループは、セッションベースであってもよい。オーサリングアプリケーション、例えば、ＥｎｄＮｏｔｅを閉じると、文書も開いていないならば、自動グループは表示されない。
【０１１５】
図２３を参照すると、強化特徴が、インテキスト引用書式の間において急速に切り替わる能力をユーザに提供する。「挿入する（Ｉｎｓｅｒｔ）」メニューオプションは、ユーザが引用を挿入する好ましい方式を選択することを可能にするために方向付けられるいくつかのオプションを含む。オプションは、挿入プルダウンメニューの中に示されているが、また、発見挿入オプションの中に、引用編集管理オプションの中に、ならびに引用を右クリックして引用編集オプションを選択するときに利用可能となるオプションとして含まれてもよい。「挿入する」オプションは、ユーザが引用を挿入することを可能にする。「著者（年）として挿入および表示する（Ｉｎｓｅｒｔ  ａｎｄ  Ｄｉｓｐｌａｙ  ａｓ  Ａｕｔｈｏｒ（Ｙｅａｒ））」オプションを選択すると、引用は形式が選択され、書式が文体規則に従わない場合を除いて、書式設定されたときに著者（年）として表示する。例えば、引用が「著者（年）を挿入および排除する」を用いてＡＰＡに挿入された場合は、何も示されない。選択された書式が形式に対する書式設定規則に準拠しないときは、引用が現れなくてもよい。形式が形式の規則に準拠する形式に変更された場合は、引用が現れる。例えば、「著者および年を挿入および排除する（ｉｎｓｅｒｔ  ａｎｄ  ｅｘｃｌｕｄｅ  ａｕｔｈｏｒ（ｙｅａｒ））」を用いて挿入された引用は、番号付き書式で現れるが、第６ＡＰＡ（セクション）には現れない。文書を著作するときに、ユーザは、例えば、「結果は、太陽が非常に高温であることを示す（Ｓｍｉｔｈ，２０１０）」といった標準インテキスト引用書式を使用して、引用を挿入する。次いで、ユーザは、例えば、「Ｊｏｎｅｓ（２０１０）によれば、太陽は非常に高温である」といった、別の引用を挿入することを望む。この特徴は、著者／日付情報を省略するために既存の挿入オプションに使用することと同様に、任意の著者日付形式にこの挿入処理を許可する。
【０１１６】
本発明は、本明細書で説明される具体的実施形態によっては範囲が限定されない。本発明の他の種々の実施形態および修正は、本明細書で説明されるものに加えて、先述の説明および添付図面から当業者に明白となることが十分検討される。したがって、そのような他の実施形態および修正は、以下の添付請求項の範囲内に入ることを目的としている。さらに、本発明は、特定の実施形態および実装および用途との関連において、および特定の環境において、本明細書で説明されているが、当業者であれば、その有用性はそれらに限定されず、任意の数の目的で、任意の数の方法および環境で有益に本発明を適用できることを理解するであろう。したがって、以下で記載される請求項は、本明細書で開示されるような本発明の全範囲および精神を考慮して解釈されるべきである。
【図３】
0005992404.tif 000004
【図１５】
0005992404.tif 000005
【図１６】
0005992404.tif 000006
【図１７】
0005992404.tif 000007
【図１８】
0005992404.tif 000008
【図１９】
0005992404.tif 000009
【図２０】
0005992404.tif 000010
【図２１】
0005992404.tif 000011
【図２２】
0005992404.tif 000012
【図２３】
0005992404.tif 000013
【図１】
0005992404.tif 000014
【図２】
0005992404.tif 000015
【図４】
0005992404.tif 000016
【図５】
0005992404.tif 000017
【図６】
0005992404.tif 000018
【図７】
0005992404.tif 000019
【図８】
0005992404.tif 000020
【図９】
0005992404.tif 000021
【図１０】
0005992404.tif 000022
【図１１】
0005992404.tif 000023
【図１２】
0005992404.tif 000024
【図１３】
0005992404.tif 000025
【図１４】
0005992404.tif 000026